(57)【要約】 【課題】  本発明の目的は、再生すべき複数のチャネルのオーディオ信号が欠落することなく再生可能な音響システムを提供することである。【解決手段】  第１の音響システム駆動手段は、マルチチャンネルオーディオ信号を再生する。第２の音響システム駆動手段は、マルチチャンネルオーディオ信号を、作動可能なスピーカユニット３３を用いて擬似的に再生する。スピーカ残量計測部４４は、ＲＲ用ワイヤレススピーカユニット１２ｅおよびＲＬ用ワイヤレススピーカユニット１２ｆの電源である残存する電池４３の容量を測定する。制御部３０は、計測される前記容量に基づいてスピーカユニット３３が作動可能か否かを判定し、前記第１および第２の音響システム駆動手段のいずれか一方を選択する。【選択図】      図１
2005210504.tif 000002
【特許請求の範囲】
【請求項１】
少なくとも電池を電源とする駆動装置によって駆動されるスピーカを含む複数のスピーカを備える音響システムであって、
再生すべきチャンネルのオーディオ信号に対応するスピーカを作動させて、前記オーディオ信号を再生可能な第１の音響システム駆動手段と、
前記再生すべきチャンネルのうち作動不可能なスピーカに対応するチャンネルのオーディオ信号を、作動可能なスピーカを用いて擬似的に再生し得る第２の音響システム駆動手段と、
前記少なくとも電池を電源とするスピーカの電池の残存する容量を計測する計測手段と、
計測手段で計測される前記容量に基づいて、第１および第２の音響システム駆動手段のいずれか一方を選択する選択手段とを備えることを特徴とする音響システム。
【請求項２】
前記スピーカは、商用電源からの電力供給を許容するように構成され、
選択手段は、このスピーカが商用電源から電力供給を受けている場合、第１の音響システム駆動手段を選択することを特徴とする請求項１記載の音響システム。
【請求項３】
第１および第２の音響システム駆動手段のいずれか一方から他方へ切換えられたとき、その旨を出力する出力手段をさらに備えることを特徴とする請求項１または２に記載の音響システム。
【請求項４】
オーディオ信号を無線でスピーカへ伝送するための送受信手段をさらに備え、選択手段は、第１の音響システム駆動手段から第２の音響システム駆動手段に切換わる際に、送受信手段の動作を停止させることを特徴とする請求項１〜３のいずれか１つに記載の音響システム。
【発明の詳細な説明】
【技術分野】
【０００１】
本発明は、マルチチャンネルオーディオ信号を再生可能な音響システムに関する。
【０００２】
本発明において、「作動不可能なスピーカ」とは、測定手段によって作動不可能と判定されるスピーカを含む。
【背景技術】
【０００３】
近年、音響装置には、複数のスピーカが設けられる。システムの構成により個々のスピーカに応じた出力の増幅器を内蔵するいわゆるアクティブスピーカを採用する場合も多い。このような音響装置では、各スピーカに電力を供給する必要がある。このため各スピーカ毎に電源コードが設けられ、音響装置に含まれる配線が煩雑になる。このように配線が煩雑になることを抑制するために、各スピーカにバッテリを設けて、前記バッテリによって各スピーカを駆動させる音響装置が提案されている（たとえば特許文献１参照）。
【０００４】
また、このように複数のスピーカが設けられた音響装置は、ドルビーデジタル方式およびｄｔｓ方式に代表されるサラウンド方式を用いてマルチチャンネルオーディオ信号（以下単に「マルチ信号」と呼ぶ場合がある）を再生可能なように構成することができる。前記音響装置は、この音響装置に設けられる複数のスピーカを視聴者を囲むように配設することによって、音源の方向を再現することができる。これによって音響装置１は、移動する音源などを再現することができ、視聴者に臨場感を与えることできる。
【０００５】
図１０は、他の従来の技術である音響システム１の電気的構成を示すブロック図である。音響システム１は、マルチ信号を再生可能な音響装置であって、音響システム本体２とワイヤレススピーカ２Ａａ、２Ａｂとを含んで構成される。音響システム１は、オーディオ信号取得部４が取得するマルチ信号をデコーダ５によって複数のオーディオ信号に復号する。前記複数のオーディオ信号のうち一部オーディオ信号は、スピーカ３に含まれる右前方スピーカ３ａ、左前方スピーカ３ｂ、センタースピーカ３ｃおよびスーパーウーハ―スピーカ３ｄに伝送され再生される。
【０００６】
残りのオーディオ信号は、音響システム本体２でステレオマルチプレクサ（
Multiplexer：略称ＭＵＸ）信号に変調された後、さらにＦＭ(Frequency modulation)信号に変調される。前記ＦＭ信号は、音響システム本体２からスピーカに含まれる後方右ワイヤレススピーカ２Ａａおよび後方左ワイヤレススピーカ２Ａｂに伝送される。各後方ワイヤレススピーカ２Ａａ，２Ａｂは、伝送される前記ＦＭ信号をＭＵＸ信号に復調し、複数のオーディオ信号に分割する。各後方ワイヤレススピーカ２Ａａ，２Ａｂは、前記オーディオ信号のうち再生すべきオーディオ信号だけ再生する。このように音響システム１は、各オーディオ信号に対応するワイヤレススピーカ２Ａに伝送し、再生すべきオーディオ信号を再生することができる。
【０００７】
【特許文献１】実開平４−７８８７２号公報（第１図、第６〜１０頁）
【発明の開示】
【発明が解決しようとする課題】
【０００８】
従来技術の音響装置および音響システム１は、ワイヤレススピーカに消費電力の大きい増幅器を設けて構成される。このためバッテリによって作動するワイヤレススピーカ２Ａでは、使用中に前記バッテリに残存する容量が無くなることがある。この場合、音響システム１では、前記ワイヤレススピーカ２Ａが作動不可能となり、前記ワイヤレススピーカ２Ａによって再生すべきオーディオ信号が再生されない。これによって視聴者は、再生されるべき一部のオーディオ信号を聞くことができない。また音響システム１では、各スピーカが独立したオーディオ信号を再生するので、いずれかのスピーカが作動不可能となり、マルチ信号の一部のオーディオ信号が再生できなくなると、移動する音源などを再現することができない。これによって音響システム１によって視聴者に臨場感を与えることができない。このように音響装置および音響システム１を作動させている途中に、バッテリに残存する容量がなくなると、ワイヤレススピーカが作動不可能となり、一部のオーディオ信号を再生することができなくなる場合がある。
【０００９】
本発明の目的は、再生すべき複数のチャネルのオーディオ信号が欠落することなく再生可能な音響システムを提供することである。
【課題を解決するための手段】
【００１０】
本発明は、少なくとも電池を電源とする駆動装置によって駆動されるスピーカを含む複数のスピーカを備える音響システムであって、
再生すべきチャンネルのオーディオ信号に対応するスピーカを作動させて、前記オーディオ信号を再生可能な第１の音響システム駆動手段と、
前記再生すべきチャンネルのうち作動不可能なスピーカに対応するチャンネルのオーディオ信号を、作動可能なスピーカを用いて擬似的に再生し得る第２の音響システム駆動手段と、
前記少なくとも電池を電源とするスピーカの電池の残存する容量を計測する計測手段と、
計測手段で計測される前記容量に基づいて、第１および第２の音響システム駆動手段のいずれか一方を選択する選択手段とを備えることを特徴とする音響システムである。
【００１１】
本発明に従えば、第１の音響システム駆動手段は、複数のスピーカのうち再生すべきチャンネルのオーディオ信号に対応するスピーカを作動させて前記オーディオ信号を再生する。第２の音響システム駆動手段は、前記再生すべきチャンネルのうち作動不可能なスピーカに対応するチャンネルのオーディオ信号を、作動可能なスピーカを用いて擬似的に再生する。計測手段は、ワイヤレススピーカの電源である電池の残存する容量を測定する。計測手段によって計測される前記容量に基づいて、選択手段は、前記第１および第２の音響システム駆動手段のいずれかを選択する。換言すると、選択手段は、前記容量に基づいて、作動不可能なスピーカが含まれると判定すると、第２の音響システム駆動手段を選択する。選択手段は、前記容量に基づいて、作動不可能なスピーカが含まれないと判定すると、第１の音響システム駆動手段を選択する。このように選択手段は、前記容量に基づいて作動不可能なスピーカの有無を判定し、自動的に第１の音響システム駆動手段および第２の音響システム駆動手段のいずれか一方を選択的に用いることができる。選択手段は、計測手段によって計測される容量に基づいて作動不可能なスピーカがあると判定すると、前記スピーカに対応するオーディオ信号を作動可能なスピーカを用いて擬似的に再生することができる。
【００１２】
また本発明は、前記ワイヤレススピーカは、商用電源からの電力供給を許容するように構成され、
選択手段は、このワイヤレススピーカが商用電源から電力供給を受けている場合、第１の音響システム駆動手段を選択することを特徴とする。
【００１３】
本発明に従えば、電池を電源とするワイヤレススピーカに、商用電源を用いて電力を供給することができる。商用電源から前記ワイヤレススピーカに電力を供給している状態においては、選択手段は第１の音響システム駆動手段を選択する。このようにワイヤレススピーカが商用電源からの電力供給を許容する条件で、選択手段は、自動的に第１の音響システム駆動手段を選択する。これによって商用電源から前記ワイヤレススピーカに電力を供給すると、再生すべきチャンネルのオーディオ信号に対応するスピーカを作動させて前記オーディオ信号を再生させることができる。
【００１４】
また本発明は、第１および第２の音響システム駆動手段のいずれか一方から他方へ切換えられたとき、その旨を出力する出力手段をさらに備えることを特徴とする。
【００１５】
本発明に従えば、出力手段は、第１の音響システム駆動手段から第２の音響システム駆動手段へ切換えられたことを出力する。また出力手段は、第２の音響システム駆動手段から第１の音響システム駆動手段へ切換えられたことを出力する。視聴者は、第１および第２の音響システム駆動手段のうちのいずれの駆動手段が選択されているかを容易に判断できる。
【００１６】
また本発明は、オーディオ信号を無線でワイヤレススピーカへ伝送するための送受信手段をさらに備え、選択手段は、第１の音響システム駆動手段から第２の音響システム駆動手段に切換わる際に、不要となる送受信手段の動作を停止させることを特徴とする。
【００１７】
本発明に従えば、選択手段は、第１の音響システム駆動手段から第２の音響システム駆動手段に選択が切換わると、不要となる送受信手段の動作を停止することができる。
【発明の効果】
【００１８】
本発明によれば、計測手段によってワイヤレススピーカの電源である電池の残存する容量を計測する。選択手段は、前記容量に基づいて作動不可能なスピーカが含まれるか否かを判定し、第１および第２の音響システム駆動手段のいずれか一方を自動的に選択する。換言すると、選択手段は、前記容量に基づいて、再生すべきチャンネルのオーディオ信号に対応するスピーカを作動させて、前記オーディオ信号を再生することができると判定すると、第１の音響システム駆動手段を選択する。また選択手段は、前記容量に基づいて、再生すべきチャンネルのオーディオ信号に対応するワイヤレススピーカの動作の可否を検知し、該当するチャンネルのオーディオ信号を、作動可能なスピーカを用いて再生することができると判定すると、第２の音響システム駆動手段を自動的に選択する。
【００１９】
このように選択手段は、前記容量に基づいて再生すべきチャンネルのオーディオ信号に対応するスピーカの作動可能性を判定し、第１および第２の音響システム駆動手段のいずれか一方を選択する。これによって選択手段は、作動不可能なスピーカがある場合、第２の音響システム駆動手段を選択する。したがって音響システムは、前記スピーカに対応するオーディオ信号を作動可能なスピーカによって擬似的に再生することができる。したがって再生すべきチャンネルのオーディオ信号が再生されず欠落することを抑制することができ、再生されるべきオーディオ信号の少なくとも一部が再生できない不具合を解消することができる。
【００２０】
仮に、再生すべきチャンネルのオーディオ信号に対応するワイヤレススピーカにおいて、その残存する電池の容量が、前記ワイヤレススピーカを作動不可能な容量であると判定されると、選択手段は、第２の音響システム駆動手段を選択する。それ故作動不可能なスピーカが含まれていても、前記スピーカに対応するチャンネルのオーディオ信号を、作動可能なスピーカを用いて擬似的に再生することができる。したがって再生すべき複数のチャンネルのオーディオ信号のうちの一部が欠落する状態で、前記オーディオ信号が再生されることを抑制することができる。これによってスピーカが作動不可能になることによって再生されるべきオーディオ信号の一部が欠落する不具合を解消することができる。
【００２１】
仮に全てのスピーカにおいて、その残存する電池の容量が、前記スピーカを作動可能な容量であると判定されると、選択手段は、第１の音響システム駆動手段を選択する。これによって視聴者は、残存する電池の容量がスピーカを作動可能な容量であるかを確認することなく、自動的に第１の音響システム駆動手段を選択することができる。したがって視聴者は、スピーカの電池に残存する容量を計測する必要がないうえ、前記容量に基づいて第１の音響システム駆動手段を選択する必要も無い。
【００２２】
このように本音響システムによれば、計測手段によって電池の容量を計測して、再生すべきチャンネルのオーディオ信号に対応するスピーカの作動可能性を判定し得る。さらに作動可能なスピーカだけを用いて再生すべきチャンネルのオーディオ信号を擬似的に再生することができる。したがって選択手段は、残存する電池の容量に適する音響システム駆動手段を選択し、前記音響システム駆動手段によって再生すべきチャンネルのオーディオ信号を欠落することなく再生することができる。
【００２３】
本発明によれば、商用電源から電池を電源とするスピーカに電力を供給している状態においては、安定した電源供給があるため選択手段は第１の音響システム駆動手段を必然的に選択する。このようにワイヤレススピーカが商用電源からの電力供給を許容する条件で、選択手段は、自動的に第１の音響システム駆動手段を選択する。このように商用電源によってワイヤレススピーカに安定して電力を供給する状態では、残存する電池の容量に関係なくスピーカを継続して作動させることができる。
【００２４】
前述したようにスピーカが商用電源からの電力供給を許容する条件で、選択手段は第１の音響システム駆動手段を必然的に選択する。逆に言えば、この第１の音響システム駆動手段が必然的に選択された状態において、再生すべきチャンネルの複数のオーディオ信号に対応するスピーカのうちの少なくとも一部が再生不可能な状態にはならない。つまり商用電源からワイヤレススピーカに電力が安定して供給され、再生すべきチャンネルのオーディオ信号に対応するスピーカを、確実にかつ継続的に作動させることができる。したがって商用電源によってスピーカへの電力供給を継続することによって、スピーカは、電池に残存する容量がなくなっても再生すべきチャンネルのオーディオ信号を再生することを継続することができる。これによって残存する電池の容量を気にすることなく第１の音響システム駆動手段でオーディオ信号を再生することができる。
【００２５】
本発明によれば、第１および第２の音響システム駆動手段のいずれか一方から他方へ切換えられたことを出力手段によって出力することができる。これによって視聴者は、第１および第２の音響システム駆動手段のいずれの駆動手段によって再生されているのかを容易に判断することができる。
【００２６】
本発明によれば、送受信手段によって無線でオーディオ信号をスピーカへ伝送することができる。これによって音響システムに設けられる配線を少なくすることができる。また選択手段は、第２の音響システム駆動手段に選択が切換わると、自動的に送受信手段を停止することができる。これによって音響システムは、送受信手段の電力消費を抑制し、低消費電力化することができる。また送受信手段を停止することによって、スピーカが信号を受信することを抑制できる。したがって作動不可能なスピーカが受信すべきでない信号を受信し、ノイズを発生することを抑制することができる。これによって前記スピーカがノイズを発生し、視聴者に不快感を与えることを抑制できる。
【発明を実施するための最良の形態】
【００２７】
図１は、本発明の実施の一形態である音響システム１０の電気的構成を示すブロック図である。図２は、音響システム１０に含まれる音響システム本体１１の電気的構成を示すブロック図である。図３は、音響システム１０に含まれるワイヤレススピーカユニット３３の電気的構成を示すブロック図である。図４は、音響システム１０に含まれる６つのスピーカユニット３３の配置を示す図である。図５は、ＲＲ側およびＲＬ側タイミング信号５２，６２について示す図である。音響システム１０は複数のチャンネルのオーディオ信号を含むマルチチャンネルオーディオ信号を、ドルビーデジタル方式またはｄｔｓ方式などのサラウンド方式を用いて複数のスピーカユニット３３によって再生する。ドルビーデジタル方式またはｄｔｓ方式は、たとえば５．１ｃｈのオーディオ信号のすべてを独立して再生可能なサラウンド方式である。音響システム１０は、後述するように各スピーカを視聴者を取り囲むように配置することによって複数の方向からの音源を再現し、視聴者に臨場感を与えることができる。音響システム１０には、音響システム本体１１と６つのスピーカユニット３３とが含まれる。
【００２８】
音響システム本体１１は、ＤＶＤ（Digital Versatile Disk ）などの記録媒体に記憶されるマルチチャンネルオーディオ信号を取得可能に構成される。音響システム本体１１は、前記取得されるマルチチャンネルオーディオ信号を再生するために、マルチチャンネルオーディオ信号に含まれる各チャンネルのオーディオ信号を対応する各スピーカユニット３３に伝送するように構成される。音響システム本体１１には、オーディオ信号取得部１３、デコーダ１４、音量音質調整部１５、増幅部１６、ステレオマルチプレクス（
Multiplexer：略称ＭＵＸ）変調部１７、正弦波発振部１８、反転部１９、ＦＭ（
Frequency modulation)変調部２０、信号送信部２１、本体送信用アンテナ部２２、信号送信チャンネル切換部２３、本体受信用アンテナ部２４、残量信号受信部２５、残量信号受信チャンネル切換部２６、本体ＦＭ検波部２７、表示部２８、キー操作入力部２９、制御部３０および電力取得部３１が含まれる。
【００２９】
オーディオ信号取得部１３は、ＤＶＤなどの記録媒体に記録されるデジタル信号を取得し、前記信号をデコーダ１４に伝送することができるように構成される。オーディオ信号取得部１３は、たとえばＳ／ＰＤＩＦ受信器によって実現される。
【００３０】
第１および第２音響システム駆動手段の一部であるデコーダ１４は、伝送されるデジタル信号を復号し、アナログ信号であるマルチチャンネルオーディオ信号を取得可能に構成される。マルチチャンネルオーディオ信号には、アナログ信号であって異なるチャンネルのオーディオ信号が複数含まれる。デコーダ１４は、前記マルチチャンネルオーディオ信号に含まれる各オーディオ信号を、制御部３０と協働して前記オーディオ信号を再生すべき各スピーカユニット３３に伝送するように構成される。またデコーダ１４は、前記マルチチャンネルオーディオ信号に含まれる複数のオーディオ信号をミキシングすることができるように構成される。ミキシングは、デコーダ１４にミキシング手段を設けることによって実現される。
【００３１】
音量音質調整部（以下単に「調整部」と呼ぶ場合がある）１５には、前方右（以下単に「ＦＲ」と呼ぶ場合がある）スピーカ調整部１５ａ、前方左（以下単に「ＦＬ」と呼ぶ場合がある）スピーカ調整部１５ｂ、中央部（以下単に「Ｃ」と呼ぶ場合がある）スピーカ調整部１５ｃ、サブウーハ（以下単に「ＳＷ」と呼ぶ場合がある）調整部１５ｄ、後方右（以下単に「ＲＲ」と呼ぶ場合がある）スピーカ調整部１５ｅおよび後方左（以下単に「ＲＬ」と呼ぶ場合がある）スピーカ調整部１５ｆが含まれる。ＦＲスピーカ調整部１５ａ、ＦＬスピーカ調整部１５ｂ、Ｃスピーカ調整部１５ｃ、ＳＷスピーカ調整部１５ｄ、ＲＲスピーカ調整部１５ｅおよびＲＬスピーカ調整部１５ｆは、同様の構成を有しているので、ＦＲスピーカ調整部１５ａの構成について説明し、調整部１５に含まれる他の構成についての説明を省略する。
【００３２】
ＦＲスピーカ調整部１５ａは、オーディオ信号の音声の音量および音質と各スピーカ１２のバランスとを調整することができるように構成される。ＦＲスピーカ調整部１５ａは、たとえばトーンコントロール回路によって実現される。オーディオ信号の音量調整は、オーディオ信号の振幅を増減可能な構成を設けることによって実現される。音量調整は、たとえば可変抵抗を設けることによって実現される。音質調整は、たとえばオーディオ信号の高周波数部分および低周波数部分の出力を調整する。オーディオ信号の高周波成分および低周波成分の出力の調整は、たとえばハイパスフィルタおよびローパスフィルタを設けて、オーディオ信号の高周波成分と低周波成分とを取り出して、これら成分の音量を調整することによって実現される。ＦＲスピーカ調整部１５ａは、デコーダ１４から伝送されるオーディオ信号を取得し、前述のようにオーディオ信号の音量および音質を調整可能に構成される。ただしＦＲスピーカ調整部１５ａは、このような構成に限定されない。
【００３３】
増幅部１６には、ＦＲ増幅部１６ａ、ＦＬ増幅部１６ｂ、Ｃ増幅部１６ｃおよびＳＷ増幅部１６ｄが含まれる。ＦＲ増幅部１６ａ、ＦＬ増幅部１６ｂ、Ｃ増幅部１６ｃおよびＳＷ増幅部１６ｄが同様の構成を有しているので、以下ではＦＲ増幅部１６ａについて説明し、他の構成についての説明は省略する。ＦＲ増幅部１６は、伝送されるオーディオ信号を増幅可能に構成される。ＦＲ増幅部１６は、たとえば専用のＩＣを用いて構成される。ただしＦＲ増幅ブ１６は、専用のＩＣが用いられる構成に限定されない。増幅部１６は、アンプと呼ばれる場合もある。
【００３４】
ＭＵＸ変調部１７には、Ｒｃｈ側ＭＵＸ変調部１７ａとＬｃｈ側ＭＵＸ変調部１７ｂとが含まれる。Ｒｃｈ側ＭＵＸ変調部１７ａおよびＬｃｈ側ＭＵＸ変調部１７ｂは、同様の構成を有するので、Ｒｃｈ側ＭＵＸ変調部１７ａの構成について説明し、Ｌｃｈ側ＭＵＸ変調部１７ｂの構成についての説明を省略する。Ｒｃｈ側ＭＵＸ変調部１７ａは、異なる２つの信号をステレオマルチプレックス信号に変調可能に構成される。ここでステレオマルチプレックス信号とは、異なる２つの信号を時分割方式で多重化した信号である。またステレオマルチプレックス信号の変調は、異なる２つの信号をステレオマルチプレックス信号に多重化することであり、前記複数の信号を時分割方式で多重化することによって実現することができる。
【００３５】
具体的に説明すると、Ｒｃｈ側ＭＵＸ変調部１７ａは、伝送すべき信号を切換えスイッチを用いて切換周期ごとに切換可能に構成される。換言すると、Ｒｃｈ側ＭＵＸ変調部１７ａは、切換えスイッチを用いて異なる信号を切換周期ごとに切換えて多重化する。ここで切換周期とは、切換スイッチをスイッチングする周期であり、たとえば３８ｋＨｚの周期でスイッチをスイッチングする。このようにＲｃｈ側ＭＵＸ変調部１７ａは、異なる２つの信号をステレオマルチプレックス信号に変調することができる。またＲｃｈ側ＭＵＸ変調部１７ａは、前記ステレオマルチプレックス信号を伝送する際に、切換えスイッチの切換周期に基づいたパイロット信号を生成して伝送する。パイロット信号は、ステレオマルチプレックス信号を復調する際に、後述するスピーカＭＵＸ復調部３８に切換周期の情報を伝送するための信号であり、水晶子などによって正弦波を発振させることによって実現される。パイロット信号の周波数は、たとえば切換周期の半分である。本実施の形態では、Ｒｃｈ側ＭＵＸ変調部１７ａは、２つの信号をステレオマルチプレックス信号に変調する。
【００３６】
正弦波発振部１８は、一定の周波数の正弦波を発振可能に構成される。換言すると、正弦波発振部１８は、一定の周波数の正弦波を発振することによって一定の周波数の信号、すなわちＲＲ側正弦信号を伝送可能に構成される。正弦波発振部１８によって発振される正弦波は、オーディオ信号と同様の周波数帯域である。正弦波発振部１８は、たとえば移相帰還形発振器によって実現される。本実施の形態において正弦波の周波数は、たとえば１００Ｈｚである。
【００３７】
反転部１９は、前記正弦波発振部１８から伝送されるＲＲ側正弦信号に基づいてＲＬ側正弦信号を生成可能に構成される。ＲＬ側正弦信号は、ＲＲ側正弦信号の極性を反転させた信号である。反転部１９は、たとえばＲＣ４５５８に代表される演算増幅器（オペアンプ）によって実現することができる。
【００３８】
ＦＭ変調部２０には、Ｒｃｈ側ＦＭ変調部２０ａとＬｃｈ側ＦＭ変調部２０ｂとが含まれる。Ｒｃｈ側ＦＭ変調部２０ａおよびＬｃｈ側ＦＭ変調部２０ｂは、同様の構成を有するので、Ｒｃｈ側ＦＭ変調部２０ａの構成について説明し、Ｌｃｈ側ＦＭ変調部２０ｂの構成についての説明を省略する。Ｒｃｈ側ＦＭ変調部２０ａは、伝送される信号の周波数を変調することができるように構成される。本実施の形態においてＲｃｈ側ＦＭ変調部２０ａは、伝送されるマルチプレックス信号を８７.７ＭＨｚの搬送波を用いて周波数変調する。ただし、搬送波は、８７.７ＭＨｚ限定されない。Ｒｃｈ側ＦＭ変調部２０ａは、たとえば可変容量ダイオードを用いる周波数変調回路またはリアクタンストランジスタを用いる周波数変調回路によって実現される。
【００３９】
送受信手段の一部である信号送信部２１には、Ｒｃｈ信号送信部２１ａとＬｃｈ信号送信部２１ｂとが含まれる。Ｒｃｈ信号送信部２１ａは、伝送される信号を 本体送信用アンテナ部２２を介してＲｃｈ信号として無線で後述するＲＲ用ワイヤレススピーカユニット１２ｅに伝送可能に構成される。ここでＲｃｈ信号は、本体送信用アンテナ部２２ａを介してＲＲ用ワイヤレススピーカユニット１２ｅに伝送されるＦＭステレオ無線電波信号である。Ｌｃｈ送信部２１ｂは、伝送される信号を 本体送信用アンテナ部２２ｂを介してＬｃｈ信号として無線で後述するＲＬ用ワイヤレススピーカユニット１２ｆに伝送可能に構成される。ここでＬｃｈ信号は、本体送信用アンテナ部２２ｂを介してＲＬ用ワイヤレススピーカユニット１２ｆに伝送されるＦＭステレオ無線電波信号である。
【００４０】
本体送信用アンテナ部２２には、Ｒｃｈ信号送信用アンテナ部２２ａとＬｃｈ信号送信用アンテナ部２２ｂとが含まれる。Ｒｃｈ信号送信用アンテナ部２２ａは、たとえばダイポールアンテナによって構成され、Ｒｃｈ送信部２１ａから伝送される信号をＲｃｈ信号として無線でＲＲ用ワイヤレススピーカユニット１２ｅに伝送可能に構成される。Ｌｃｈ信号送信用アンテナ部２２ｂは、たとえばダイポールアンテナによって構成され、Ｌｃｈ送信部２１ｂから伝送される信号をＬｃｈ信号として無線でＲＬ用ワイヤレススピーカユニット１２ｆに伝送可能に構成される。
【００４１】
送信信号チャンネル切換部２３には、Ｒｃｈ信号送信チャンネル切換部２３ａとＬｃｈ信号送信チャンネル切換部２３ｂとが含まれる。
【００４２】
Ｒｃｈ信号送信チャンネル切換部２３ａは、Ｒｃｈ信号の無線チャンネル、すなわち無線周波数を選択する。具体的には、Ｒｃｈ信号送信チャンネル切換部２３ａは、Ｒｃｈ信号送信部に対し、無線周波数チャンネルを設定する。Ｒｃｈ信号送信チャンネル切換部２３ａは、たとえば８７.７ＭＨｚ〜８８.９ＭＨｚの周波数帯域内の無線周波数を指定する。
【００４３】
Ｌｃｈ信号送信チャンネル切換部２３ｂは、Ｌｃｈ信号の無線チャンネル、すなわち周波数を選択する。具体的には、Ｌｃｈ信号送信チャンネル切換部２３ｂは、Ｌｃｈ信号送信部に対し、無線周波数チャンネルを設定する。Ｌｃｈ信号送信チャンネル切換部２３ｂは、たとえば８７.７ＭＨｚ〜８８.９ＭＨｚの周波数帯域内の無線周波数チャンネルを指定する。送信信号チャンネル切換部２３は、たとえば切換スイッチを用いて実現される。またキー操作入力部２９を用いて無線周波数チャンネルを指定し、前記指定に基いて制御部３０が制御することによっても実現可能である。ＲｃｈおよびＬｃｈ信号送信チャンネル切換部２３ａ、２３ｂによって指定される無線周波数チャンネルは、互いに重複しないよう指定される。
【００４４】
本体受信用アンテナ部２４は、後述するＲＲ側ワイヤレススピーカ４１ａおよびＲＬ側ワイヤレススピーカ４１ｂから無線で伝送される無線残量信号を受信可能に構成される。本体受信用アンテナ部２４は、たとえばダイポールアンテナによって実現される。無線残量信号は、後述するＲＲ側ワイヤレススピーカ４１ａおよびＲＬ側ワイヤレススピーカ４１ｂに含まれる残存する電池４３の容量、すなわち電池の残量に基づいて生成されるＦＭ無線電波信号である。
【００４５】
残量信号受信部２５は、前記本体受信用アンテナ部２４を介して無線残量信号を受信し、残量信号を取得可能に構成される。残量信号受信チャンネル切換部２６は、前記残量信号受信部２５で受信可能な無線残量信号の無線周波数チャンネルを指定可能に構成される。具体的には、残量信号受信チャンネル切換部２６は、残量信号受信部２５が受信可能な無線残量信号の無線周波数チャンネルをキー操作入力部２９を操作することによって指定される無線周波数チャンネルに指定可能に構成される。本体検波部２７は、たとえばスロープ検波回路によって実現される。出力手段である表示部２８は、たとえば液晶ディスプレイによって実現され、文字情報などを表示可能に構成される。また表示部２８は、たとえば発光ダイオードを設けて、光によって使用者に告知するようにしてもよい。
【００４６】
キー操作入力部２９には、キー操作部が配設され、キー操作部を操作することによって音響システム本体１１の操作を可能に構成される。またキー操作入力部２９は、キー操作部を操作することによって、無線で送信されるＲｃｈ信号およびＬｃｈ信号の無線周波数チャンネルを指定するよう構成することも可能である。またキー操作入力部２９は、同様にキー操作部を操作することによって、残量信号受信部２５が受信する信号の無線周波数チャンネルを指定することができる。
【００４７】
選択手段である制御部３０には、中央演算処理装置（Central Processing Unit：略称ＣＰＵ）とリードオンリーメモリ（Read Only Memory:略称ＲＯＭ）とが含まれる。ＣＰＵは、ＲＯＭに記憶される動作プログラムに基づいて、音響システム本体１１を構成する各構成部を制御可能に構成される。ＣＰＵは、残量信号を受信したか否かを判定することができるように構成される。またＣＰＵは、伝送される残量信号に基づいて、後述するＲＲ用ワイヤレススピーカユニット１２ｅおよびＲＬ用ワイヤレススピーカユニット１２ｆが作動不可能か否かを判定可能に構成される。
【００４８】
【表１】
2005210504.tif 000003
【００４９】
ＣＰＵは、デコーダ１４と協働して、５．１ｃｈサラウンドモードと３ステレオモードとを選択可能に構成される。本実施の形態では、３ステレオモードを選択可能に構成されているけれども、これに限定されない。表１に示すように５．１ｃｈサラウンドモードでは、デコーダ１４によって復号される５．１ｃｈマルチチャンネルオーディオ信号を各スピーカユニット３３で再生する。５．１ｃｈマルチチャンネルオーディオ信号には、チャンネルが異なる６つのオーディオ信号が含まれる。表１では、型名がマルチチャンネルオーディオ信号に含まれるオーディオ信号の数を示す。また「含まれる信号チャンネル」の欄において、○は、前記マルチチャンネルオーディオ信号に含まれることを示す。
また表１において「ドルビーサラウンドモード」の欄に記載される○は、マルチチャンネルオーディオ信号が５つのスピーカユニットの内、いずれのスピーカユニットを使用して再生されるかを意味する。×は、入力されるマルチチャンネルオーディオ信号に含まれるオーディオ信号であるが、作動不可能なスピーカユニット３３に対応するチャンネルのオーディオ信号を作動可能なスピーカユニット３３が再生すべきオーディオ信号へ振分けて再生され、本来のオーディオ信号チャンネルからは再生されないことを意味する。◎は、入力されるマルチチャンネルオーディオ信号には含まれないオーディオ信号であるが、その他のチャンネルのオーディオ信号を基に当該チャンネルのオーディオ信号が擬似的に作成され、再生されることを意味する。空白は、オーディオ信号を再生しないことを意味する。なお、作動不可能なスピーカユニット３３に対応するオーディオ信号がある場合、他のスピーカユニット３３に対応するオーディオ信号にミキシングして擬似的に臨場感が得られるように信号の遅延、ミキシング量の調整等の定められた技法が用いられる。
【００５０】
具体的説明すると、５．１ｃｈサラウンドモードでは、制御部３０が前記復号される６つのオーディオ信号を各チャンネルのオーディオ信号に対応するスピーカユニット３３に伝送されるように制御する。伝送される前記オーディオ信号は、対応する各スピーカユニット３３によって再生される。このようにＣＰＵを含む制御部３０とデコーダ１４とは、６つのスピーカユニット３３を作動させて５．１ｃｈマルチチャンネルオーディオ信号を再生可能な構成することによって、第１音響システム駆動手段を実現する。表１で示すように３ステレオモードでは、３つのスピーカユニット３３を作動させて前記５．１ｃｈマルチチャンネルオーディオ信号を再生する。具体的には、３ステレオモードでは、前記５．１ｃｈマルチチャンネルオーディオ信号のうち作動するスピーカユニット３３に対応するチャンネルのオーディオ信号を作動するスピーカユニット３３によって再生する。さらに３ステレオモードでは、作動不可能なスピーカユニット３３に対応するチャンネルのオーディオ信号を適当な信号処理をおこなった後作動可能なスピーカユニット３３に対応するチャンネルのオーディオ信号にミキシングする。このように作動可能なスピーカユニット３３に対応するチャンネルのオーディオ信号をミキシングすることによって、作動不可能なスピーカユニット３３に対応するチャンネルのオーディオ信号を再生することができる。これによって作動可能な３つのスピーカユニット３３によって５．１ｃｈマルチチャンネルオーディオ信号を擬似的に再生することができる。擬似的に再生するとは、６つのスピーカユニット３３を用いることなく５．１ｃｈマルチチャンネルオーディオ信号を再生することと同義である。このようにＣＰＵを含む制御部３０とデコーダ１４とは、協働して３つの作動可能なスピーカユニット３３を作動させて５．１ｃｈマルチチャンネルオーディオ信号を擬似的に再生可能な構成することによって、第２音響システム駆動手段を実現する。第１および第２の音響システム駆動手段は、前述のように限定されず、表１に示すようなファントムセンターモードおよびステレオモードを実現可能な駆動手段であってもよい。
【００５１】
ＣＰＵは、残量信号に基づいて後述するＲＲ用ワイヤレススピーカユニット１２ｅおよびＲＬ用ワイヤレススピーカユニット１２ｆのうち少なくとも一方が作動不可能と判定すると、３ステレオモードを選択可能に構成される。ＣＰＵは、３ステレオモードを選択すると、作動可能なＦＲ、ＦＬおよびＣスピーカユニット１２ａ，１２ｂ，１２ｃを用いて前記５．１ｃｈマルチチャンネルオーディオ信号を再生可能に構成される。このときＣＰＵは、デコーダ１４からＲＲ用ワイヤレススピーカユニット１２ｅおよびＲＬ用ワイヤレススピーカユニット１２ｆへ伝送される信号を停止可能に構成される。具体的には、ＣＰＵは、信号送信部２１への電力の供給を停止することによって、ＲＲ用ワイヤレススピーカユニット１２ｅおよびＲＬ用ワイヤレススピーカユニット１２ｆへ信号の伝送を停止する。ＣＰＵは、残量信号に基づいて後述するＲＲ用ワイヤレススピーカユニット１２ｅおよびＲＬ用ワイヤレススピーカユニット１２ｆの両方が作動可能と判定すると、５．１ｃｈサラウンドモードを選択可能に構成される。このときＣＰＵは、デコーダ１４からＲＲ用ワイヤレススピーカユニット１２ｅおよびＲＬ用ワイヤレススピーカユニット１２ｆへ信号の伝送の停止を解除可能に構成される。ＲＯＭは、前述のようにＣＰＵが各構成部の動作を制御するための動作プログラムを記憶可能に構成される。
【００５２】
電力取得部３１は、商用電源３２から電力を取得し、音響システム本体１１を構成する各構成部に電力を供給可能に構成される。電力取得部３１は、たとえば電源トランスを使用した電源回路によって実現される。音響システム本体１１は、このようにして構成される。
【００５３】
複数のスピーカである６つのスピーカユニット３３には、４つのパッシブ型スピーカユニット３３ａが２つワイヤレススピーカユニット３３ｂとが含まれる。
【００５４】
４つのパッシブ型スピーカユニット３３ａは、いわゆるパッシブ型のスピーカユニットであり、伝送されるオーディオ信号をスピーカ素子を用いて再生可能に構成される。４つのパッシブ型スピーカユニット３３ａには、前方右（以下単に「ＦＲ」と呼ぶ場合がある）スピーカユニット１２ａ、前方左（以下単に「ＦＬ」と呼ぶ場合がある）スピーカユニット１２ｂ、中央部（以下単に「Ｃ」と呼ぶ場合がある）スピーカユニット１２ｃ、サブウーハ（以下単に「ＳＷ」と呼ぶ場合がある）スピーカユニット１２ｄ、が含まれる。ＦＲ、ＦＬおよびＣスピーカユニット１２ａ，３３ｂ，３３ｃは、音響システム本体１１と接続コードなどによって電気的に接続される。
【００５５】
ＦＲ、ＦＬおよびＣスピーカユニット１２ａ，１２ｂ，１２ｃは、伝送されるオーディオ信号を再生可能に構成される。具体的には、ＦＲ、ＦＬおよびＣスピーカユニット１２ａ，１２ｂ，１２ｃは、本体１１に搭載される増幅器１６によって増幅されたオーディオ信号を再生可能に構成される。
【００５６】
ＳＷスピーカユニット１２ｄは、ＦＲスピーカユニット１２ａと同様に増幅されるオーディオ信号を再生可能に構成される。またＳＷスピーカユニット１２ｄは、再生可能な周波数帯域が制限されており、低周波数帯域専用のオーディオ信号を再生可能に構成される。このためＳＷスピーカユニット１２ｄは、０．１ｃｈとされ、他の５つのスピーカユニット３３とともに５．１ｃｈ音響システムと称されている。
【００５７】
２つのワイヤレススピーカユニット３３ｂは、いわゆるアクティブ型のスピーカユニットであり、伝送されるオーディオ信号を後述するユニット内のスピーカ素子４１を用いて再生可能に構成される。２つのワイヤレススピーカユニット３３ｂには、ＲＲ後方右（以下単に「ＲＲ」と呼ぶ場合がある）用ワイヤレススピーカ１２ｅおよびＲＬ後方左（以下単に「ＲＬ」と呼ぶ場合がある）用ワイヤレススピーカ１２ｆが含まれる。２つのワイヤレススピーカユニット３３ｂは、音響システム本体１１と無線によって信号を伝送可能に構成される。
【００５８】
ＲＲ用ワイヤレススピーカユニット１２ｅは，無線で伝送されるＲｃｈ信号を受信し、Ｒｃｈ信号に含まれるオーディオ信号を再生可能に構成される。ＲＲ用ワイヤレススピーカユニット１２ｅには、Ｒｃｈ信号受信部３４、Ｒｃｈ信号受信チャンネル切換部３５、スピーカＦＭ検波部３７、スピーカＭＵＸ復調３８、スピーカミュート部３９、スピーカ増幅部４０、スピーカ素子４１、ＲＲ側タイミング調整部４２、電池４３、スピーカ電池残量計測部４４、スピーカＦＭ変調部４５、ＲＲ側電池残量信号送信部４６およびＲＲ側電池残量信号送信チャンネル切換部４７とが含まれる。
【００５９】
ＲＲ用ワイヤレススピーカユニット１２ｅには、Ｒｃｈ信号受信用アンテナ４８が設けられる。Ｒｃｈ信号受信部３４は、前記Ｒｃｈ信号受信用アンテナ４８を用いてＲｃｈ信号を受信可能に構成される。前記Ｒｃｈ信号受信用アンテナ４８は、たとえばダイポールアンテナによって実現される。
【００６０】
Ｒｃｈ信号受信チャンネル切換部３５は、Ｒｃｈ信号受信部３４によって受信可能なＲｃｈ信号の無線周波数チャンネルを指定する。具体的には、Ｒｃｈ信号受信チャンネル切換部３５は、Ｒｃｈ信号受信部３４に対し受信する無線周波数チャンネルを指定する。たとえば複数の無線周波数チャンネルが利用可能であり、視聴者が前記無線周波数チャンネルを指定することによって受信可能な無線周波数チャンネルを指定可能に構成される。予め設定される周波数帯域には、８７.７ＭＨｚ、８７.９ＭＨｚおよび８８.１ＭＨｚがある。ただし信号受信チャンネル切換部３５は、このような構成に限定されず、ＣＰＵなどの制御部を設けてキー操作や本体からの送信周波数をスキャンし、前記無線周波数チャンネル帯域を指定可能に構成してもよい。
【００６１】
スピーカＦＭ検波部３７は、伝送されるＦＭ変調される信号をＦＭ復調可能に構成される。またスピーカＦＭ検波部３７は、受信信号の電界強度に基づいて出力するシグナルディテクト（signal detect：略称ＳＤ）出力信号を出力可能に構成される。具体的には、スピーカＦＭ検波部３７は、Ｒｃｈ信号受信部３４が受信するＲｃｈ信号の電界強度とあらかじめ設定された規定レベルと大小比較したデジタル信号であるＳＤ出力信号を出力する。たとえば受信電界強度が３２ｄＢμ以下であればＨｉｇｈ電圧を出力し、以上であればＬｏｗ電圧を出力する。出力されるＳＤ出力信号は、ミュート部３９に伝送される。スピーカＦＭ検波部３７は、たとえばスロープ検波回路を含む回路によって実現される。
【００６２】
スピーカＭＵＸ復調部３８は、伝送されるステレオマルチプレックス信号を分離可能に構成される。ステレオマルチプレックス信号を分離するとは、ステレオマルチプレックス信号を構成する時分割方式で多重化された異なる信号を分割して取り出すことと同義である。具体的には、スピーカＭＵＸ復調部３８は、ステレオマルチプレックス信号とともに伝送されるパイロット信号に基づいてステレオマルチプレックス信号の分割するように構成される。
【００６３】
スピーカミュート部３９は、ＳＤ信号に基づいて、伝送されるオーディオ信号を他の構成部に伝送するか否かを判定可能に構成される。具体的には、スピーカミュート部３９は、スピーカＦＭ検波部３７から伝送されるＳＤ信号が規定レベル以上であるか否かによって判定し、規定レベル未満であればオーディオ信号の伝送を停止し、規定レベル以上であればオーディオ信号を伝送するように構成される。たとえば受信電界強度が３２ｄＢμ以下であるときオーディオ信号の品質の悪化が予想されるためスピーカ素子４１へオーディオ信号の伝送を行わない構成とする。
【００６４】
Ｒｃｈ増幅部４０は、伝送されるオーディオ信号を増幅可能に構成される。Ｒｃｈ増幅部４０は、たとえばスピーカ駆動専用のＩＣを用いて構成される。但し、。Ｒｃｈ増幅部４０は、スピーカ駆動専用のＩＣに限定されない。増幅部は、アンプと呼ばれる場合もある。
【００６５】
スピーカ素子４１は、伝送されるオーディオ信号に基づいて振動することのよってオーディオ信号を再生可能に構成される。
【００６６】
ＲＲ側タイミング調整部４２は、たとえばコンパレータによって実現され、音響システム本体１１で生成されるＲＲ側正弦信号に基づいてＲＲ側タイミング信号を生成可能に構成される。ＲＲ側タイミング調整部４２は、ＲＲ側正弦信号の電圧が規定される電圧以上であるか否かを判定し、前記判定に基づいて電圧を出力し、タイミング制御可能なデジタル信号であるＲＲ側タイミング信号を生成可能に構成される。本実施の形態では、ＲＲ側タイミング調整部４２は、ＲＲ側正弦信号の電圧が規定電圧以上であると判定すると、高出力電圧の信号（以下単に「Ｈｉｇｈ信号」と呼ぶ場合がある）を出力し、ＲＲ側正弦信号の電圧が規定電圧未満であると判定すると、低出力電圧の信号（以下単に「Ｌｏｗ信号」と呼ぶ場合がある）を出力する。ここで高出力電圧は、低出力電圧と比較して相対的に高いことを意味するものである。このようにしてＨｉｇｈ信号とＬｏｗ信号とを有するパルス波形のＲＲ側タイミング信号を生成することができる。具体的には、図５で示すように、ＲＲ側正弦信号５０がＲＲ側規定電圧レベル５１以上の電圧である場合、ＲＲ側タイミング調整部４２は、ＲＲ側Ｈｉｇｈ信号５２ａを出力する。またＲＲ側正弦信号５０がＲＲ側規定電圧レベル５１未満の電圧である場合、ＲＲ側タイミング調整部４２は、ＲＲ側Ｌｏｗ信号５２ｂを出力する。このようにＲＲ側タイミング調整部４２は、ＲＲ側Ｈｉｇｈ信号５２ａとＲＲ側Ｌｏｗ信号５２ｂとを有するＲＲ側タイミング信号５２を生成可能に構成される。ここでＲＲ側Ｈｉｇｈ信号５２ａが出力開始時刻から出力停止時刻までの間をＲＲ側送信区間ＴＡとする。ＲＲ側タイミング信号は、ＲＲ用ワイヤレススピーカユニット１２ｅから音響システム本体１１に無線で伝送する信号を伝送する時間を決定するための信号である。ＲＲ側タイミング調整部４２は、このような構成に限定されない。また規定値未満のときにＨｉｇｈ信号を出力信号を出力してもよい。
【００６７】
電池４３は、ＲＲ用ワイヤレススピーカユニット１２ｅの各構成部に電力を供給するために設けられる。電池４３は、たとえば乾電池などの一次電池および鉛蓄電池などの二次電池またはその併用によって実現される。
【００６８】
計測手段であるスピーカ残量計測部４４は、残存する電池４３の容量、すなわち電池４３の残量を計測し、残量信号を出力可能に構成される。残量信号は、電池４３の残量の有無を示す信号であり、有残量信号および無残量信号のうち少なくともいずれかを含む信号である。有残量信号は、電池４３の残量が有ることを示す残量信号であり、無残量信号は、電池４３の残量が無いことを示す残量信号である。残量計測部４４は、電池４３の残量が残量規定値以上であるか否かを判定可能に構成される。残量規定値とは、予め定められる値であり、たとえば４Ｖである。残量規定値は、使用される電池の本数などによって異なり、前記の規定値に限定されない。残量計測部４４は、前記残量が残量規定値以上と判定すると、有残量信号を出力可能に構成される。残量計測部４４は、前記残量が残量規定値未満と判定すると、無残量信号を出力可能に構成される。また残量計測部４４は、電池４３の残量が残量規定値未満と判定されると、電池４３から各構成部へ電力供給を自動的に遮断可能に構成される。残量計測部４４は、たとえばコンパレータを用いて実現される。遮断可能に構成されることによって、電池４３の消費を小さくすることができる。また各構成部への電力の供給を遮断するので、ＲＲ用ワイヤレススピーカユニット１２ｅおよびＲＬ用ワイヤレススピーカユニット１２ｆが作動不可能になる。これによってＲＲ用ワイヤレススピーカユニット１２ｅおよびＲＬ用ワイヤレススピーカユニット１２ｆがノイズを再生することを抑制することができる。残量計測部４４によって出力される信号は、前述のように有および無残量信号だけでなく、電池４３の残量に基づいて複数の段階に分けて信号を出力させるように構成してもよい。
【００６９】
スピーカ電池残量ＦＭ信号変調部４５は、伝送される残量信号の周波数変調することができるように構成される。本実施の形態においてスピーカ電池残量ＦＭ変調部４５は、たとえば伝送される残量信号を１ｋＨｚから１０ｋＨｚの周波数変調信号に周波数変調する。スピーカ電池残量ＦＭ信号変調部４５は、たとえばＶＦ変換器などの周波数変調回路によって実現される。
【００７０】
ＲＲ側残量信号送信部４６には、ＲＲ側送信用アンテナ４９が設けられる。残量信号送信部４６は、伝送される残量信号をＲＲ側送信用アンテナ４９を用いて無線残量信号として音響システム本体１１に伝送可能に構成される。ここで無線残量信号は、ＲＲ側送信用アンテナ４９を用いて音響システム本体１１に伝送されるＦＭ無線電波信号である。ＲＲ側残量信号送信部４６は、前述のＲＲ側タイミング調整部４２から伝送されるＲＲ側タイミング信号を取得すると、ＲＲ側Ｈｉｇｈ信号を取得するＲＲ側送信区間ＴＡだけ、無線残量信号を音響システム本体１１に伝送するように構成される。
【００７１】
ＲＲ側残量信号送信チャンネル切換部４７は、無線残量信号の無線周波数チャンネルを指定する。具体的には、ＲＲ側残量信号送信チャンネル切換部４７は、ＲＲ側残量信号送信部４６に対し使用する送信無線周波数チャンネルを指定する。このようにしてＲＲ用ワイヤレススピーカユニット１２ｅは構成される。
【００７２】
ＲＬ用ワイヤレススピーカユニット１２ｆは，無線で伝送されるＬｃｈ信号を受信し、Ｌｃｈ信号に含まれるオーディオ信号を再生可能に構成される。ＲＬ用ワイヤレススピーカユニット１２ｆは，ＲＲ用ワイヤレススピーカユニット１２ｅと構成が類似しており、異なる点だけ説明し、同様の構成は同一の符号を付して説明を省略する。ＲＬ用ワイヤレススピーカユニット１２ｆには、Ｌｃｈ信号受信部５３、Ｌｃｈ信号受信チャンネル切換部５４、スピーカＦＭ検波部３７、スピーカＭＵＸ復調３８、スピーカミュート部３９、スピーカ増幅部４０、スピーカ素子４１、ＲＬ側タイミング調整部５５、電池４３、スピーカ残量計測部４４、スピーカＦＭ変調部４５、ＲＬ側残量信号送信部５６およびＲＬ側残量信号受信チャンネル切換部５７とが含まれる。
【００７３】
Ｌｃｈ信号受信部５３は、Ｌｃｈ信号受信用アンテナ５８が設けられる。Ｌｃｈ信号受信部５３は、前記Ｌｃｈ信号受信用アンテナ５８を用いてＬｃｈ信号を受信可能に構成される。前記Ｌｃｈ信号受信用アンテナ５８は、たとえばダイポールアンテナによって実現される。
【００７４】
Ｌｃｈ信号受信チャンネル切換部５４は、Ｌｃｈ信号受信部５３によって受信するＬｃｈ信号の無線周波数チャンネルを指定する。具体的には、Ｌｃｈ信号受信チャンネル切換部５４は、選択可能な無線周波数チャンネルのうち本体１１から送信されている無線周波数チャンネルに合わせた周波数をＬｃｈ信号受信手段５３に対して指定する。
【００７５】
ＲＬ側タイミング調整部５５は、たとえばコンパレータによって実現され、音響システム本体１１で生成されるＲＬ側正弦信号に基づいてＲＬ側タイミング信号を生成可能に構成される。ＲＬ側タイミング調整部５５は、ＲＬ側正弦信号の電圧が規定される電圧以上であるか否かを判定し、前記判定に基づいて電圧を出力し、パルス波形のＲＬ側タイミング信号を生成可能に構成される。本実施の形態では、ＲＬ側タイミング調整部５５は、ＲＬ側正弦信号の電圧が規定電圧以上であると判定すると、Ｈｉｇｈ信号を出力し、ＲＬ側正弦信号の電圧が規定電圧未満であると判定すると、Ｌｏｗ信号を出力する。このようにしてＨｉｇｈ信号とＬｏｗ信号とを有するパルス波形のＲＬ側タイミング信号を生成することができる。具体的には、図５で示すように、ＲＬ側正弦信号６０がＲＬ側規定電圧レベル６１以上の電圧である場合、ＲＬ側タイミング調整部５５は、ＲＬ側Ｈｉｇｈ信号６２ａを出力する。またＲＬ側正弦信号６０がＲＬ側規定電圧レベル６１未満の電圧である場合、ＲＬ側タイミング調整部５５は、ＲＬ側Ｌｏｗ信号６２ｂを出力する。このようにＲＬ側タイミング調整部５５は、ＲＬ側Ｈｉｇｈ信号６２ａとＲＬ側Ｌｏｗ信号６２ｂとを有するＲＬ側タイミング信号６２を生成可能に構成される。
【００７６】
ここでＲＬ側Ｈｉｇｈ信号６２ａが出力開始時刻から出力停止時刻までの間をＲＬ側送信区間ＴＢとする。ＲＬ側正弦信号は、反転部１９によって極性反転され、ＲＲ側正弦信号と半波長分位相が異なる。したがってＲＲ側規定電圧レベル５１およびＲＬ側規定電圧レベル６１を略同一に設定することによって、ＲＲ側送信区間ＴＡとＲＬ側送信区間ＴＢとが重複しないようにすることができる。ＲＲ側送信区間ＴＡとＲＬ側送信区間ＴＢとが重複すると、同時刻にＲＲ側Ｈｉｇｈ信号５２ａとＲＬ側Ｈｉｇｈ信号６２ａとが伝送される。これによって無線残量信号にワイヤレススピーカユニット３３ｂそれぞれの残量信号が重複して含まれる。ＲＲ側タイミング調整部４２およびＲＬ側タイミング調整部５５は、ＲＲ側送信区間ＴＡとＲＬ側送信区間ＴＢが重複しないようにＲＲ側規定電圧レベル５１およびＲＬ側規定電圧レベル６１を選択し構成される。ＲＬ側タイミング信号は、ＲＬ用ワイヤレススピーカユニット１２ｆから音響システム本体１１に無線で伝送する信号を伝送する開始時刻および停止時刻を決定するための信号である。
【００７７】
ＲＬ側残量信号送信部５６には、ＲＬ側送信用アンテナ５９が設けられる。ＲＬ側残量信号送信部５６は、伝送される残量信号をＲＬ側送信用アンテナ５９を用いて無線残量信号として無線で音響システム本体１１に伝送可能に構成される。ここで無線残量信号は、ＲＬ側送信用アンテナ５９を用いて音響システム本体１１に伝送されるＦＭ無線電波信号である。ＲＬ側残量信号送信部５６は、前述のＲＬ側タイミング調整部５５から伝送されるＲＬ側タイミング信号を取得すると、ＲＬ側Ｈｉｇｈ信号を取得するＲＬ側送信区間ＴＢだけ、無線残量信号を音響システム本体１１に伝送するように構成される。
【００７８】
ＲＬ側残量信号受信チャンネル切換部５７は、無線残量信号の無線周波数チャンネルを設定する。具体的には、ＲＬ側残量信号送信チャンネル切換部５７は、ＲＬ側残量信号送信部に対し、たとえば８８.９ＭＨｚの無線周波数チャンネルを指定する。このようにしてＲＬ用ワイヤレススピーカユニット１２ｆは構成される。本実施の形態では、ＲＬ側残量信号受信チャンネル切換部４７とＲＬ側残量信号受信チャンネル切換部５７とは、互いに略同一の無線周波数チャンネルに無線残量信号を変換するように構成される。
【００７９】
このような構成を有する音響システム１０において、デコーダ１４と制御部３０とが第１および第２の音響システム駆動手段を構成する。またＲｃｈ信号送信部２１ａ、Ｌｃｈ信号送信部２１ｂ、Ｒｃｈ信号受信部３４およびＬｃｈ信号受信部５３が送受信手段を構成する。
【００８０】
６つのスピーカユニット３３は、視聴者を取り囲むように配置される。具体的には、図４に示すように、視聴者の一方向にＦＲ，ＦＬ，Ｃスピーカユニット１２ａ，１２ｂ，１２ｃを配置し、視聴者の一方向と反対側の方向、すなわち反対方向にＲＲ，ＲＬ用ワイヤレススピーカユニット１２ｅ，１２ｆを配置する。さらにＦＲスピーカユニット１２ａを一方向に向かって右側に配置し、ＦＬスピーカユニット１２ｂを一方向に向かって左側に配置する。ＦＲスピーカユニット１２ａとＦＬスピーカユニット１２ｂとは、離隔して配置され、その間の略中央にＣスピーカユニット１２ｃが配置される。ＲＲ用ワイヤレススピーカユニット１２ｅは、一方向に向かって右側に配置され、ＲＬ用ワイヤレススピーカユニット１２ｆは、一方向に向かって左側に配置される。ＳＷスピーカユニット１２ｄは、どの位置に配置されてもよいけれども、本実施の形態では、視聴者の側方の一方向に向かって左側に配置される。本実施の形態では、このように配置されるけれども、配置位置は、限定されない。
【００８１】
次にこのような構成を有する音響システム１０のマルチチャンネルオーディオ信号の再生のメカニズムについて説明する。制御部３０は、ＤＶＤなどの記録媒体に記憶されるデジタル信号をオーディオ信号取得部１３によって取得する。取得されたデジタル信号はデコーダ１４に伝送される。制御部３０は、デコーダ１４によって前記取得されるデコーダ１４を複数のマルチチャンネルオーディオ信号に復号するようデコーダ１４に指示する。デジタル信号を復号するとき、制御部３０は、３ステレオモードおよび５ｃｈモードの少なくとも一方を選択する。
【００８２】
制御部３０が３ステレオモードを選択する場合、デコーダ１４は取得されるデジタル信号に基づいて５．１ｃｈマルチチャンネルオーディオ信号を復号する。前記５．１ｃｈマルチチャンネルオーディオ信号には、６つのスピーカユニット３３それぞれで再生すべきオーディオ信号が含まれる。ＦＬスピーカユニット１２ｂに伝送すべきオーディオ信号をＦＬ信号とし、Ｃスピーカユニット１２ａに伝送すべきオーディオ信号をＣ信号とする。またＲＲ用ワイヤレススピーカユニット１２ｅに伝送すべきオーディオ信号をＲＲ信号とし、ＲＬ用ワイヤレススピーカユニット１２ｆに伝送すべきオーディオ信号をＲＬ信号とする。３ステレオモードでは、ＲＲ信号およびＲＬ信号がデコーダ１４によってＦＲ、ＦＬおよびＣ信号のうちの少なくとも１つの信号に定められた適当な信号処理を施された後ミキシングされる。デコーダ１４によってデコードされたオーディオ信号はそれぞれＦＲ信号をＦＲスピーカ調整部１５ａへ伝送し、ＦＬ信号をＦＬスピーカ調整部１５ｂへ伝送し、Ｃ信号をＣスピーカ調整部１５ｃへ伝送する。伝送される各オーディオ信号は、各調整部１５で音量および音質が調整され、前記各オーディオ信号が対応する各増幅部１６に伝送される。各増幅部１６では、伝送されるオーディオ信号を増幅し、各オーディオ信号が対応するパッシブ型スピーカユニット３３ａに伝送される。前記オーディオ信号は、対応するパッシブ型スピーカユニット３３ａによって再生される。このようにして５．１ｃｈマルチチャンネルオーディオ信号を擬似的に再生することを実現、すなわち第２の音響システム駆動手段を用いての３ステレオモードを実現することができる。
【００８３】
制御部３０が５．１ｃｈサラウンドモードを選択する場合、制御部３０は、デコーダ１４は取得されるデジタル信号に基づいて５．１ｃｈマルチチャンネルオーディオ信号を復号する。制御部３０は、デコーダ１４からＦＲ信号をＦＲスピーカ調整部１５ａへ伝送し、ＦＬ信号をＦＬスピーカ調整部１５ｂへ伝送し、Ｃ信号をＣスピーカ調整部１５ｃへ伝送する。伝送されるＦＲ信号、ＦＬ信号およびＣ信号は、各調整部１５で音量および音質が調整され、前記各オーディオ信号が対応する各増幅部１６に伝送される。各増幅部１６では、伝送されるオーディオ信号を増幅し、各オーディオ信号が対応するパッシブ型スピーカユニット３３ａに伝送される。前記オーディオ信号は、対応するスピーカ１２によって再生される。またＲＲ信号はＲＲスピーカ調整部１５ｅへ伝送され、ＲＬ信号をＲＬスピーカ調整部１５ｆへ伝送される。
【００８４】
まずＲＲ用ワイヤレススピーカユニット１２ｅがＲＲ信号の再生するメカニズムについて説明する。伝送されるＲＲ信号は、前記ＲＲスピーカ調整部１５ｅで音量および音質が調整され、Ｒｃｈ側ＭＵＸ変調部１７ａへ伝送される。Ｒｃｈ側ＭＵＸ変調部１７ａでは、正弦波発振部１８によって生成されるＲＲ側正弦信号とＲＲ信号とが時分割方式で多重化され、Ｒｃｈステレオマルチプレックス信号に変調される。さらにＲｃｈ側ＭＵＸ変調部１７ａでは、ＲｃｈＭＵＸ信号に変調されるとともに、ＲｃｈＭＵＸ信号を復調する際に用いられるＲｃｈパイロット信号が生成される。Ｒｃｈ側ＭＵＸ変調部１７ａで生成されるＲｃｈステレオマルチプレックス信号およびＲｃｈパイロット信号は、Ｒｃｈ側ＦＭ変調部２０ａに伝送される。Ｒｃｈ側ＦＭ変調部２０ａでは、Ｒｃｈステレオマルチプレックス信号およびＲｃｈパイロット信号を周波数変調し、ＲｃｈＦＭ信号を生成する。ＲｃｈＦＭ信号は、Ｒｃｈ信号送信部２１ａに伝送される。Ｒｃｈ信号送信チャンネル切換部２３ａは、Ｒｃｈ信号送信部２１ａに伝送に使用する無線周波数チャンネルを設定する。変換されたＲｃｈＦＭ信号は、Ｒｃｈ信号送信部２１ａによってＲｃｈ信号として、ＲＲ用ワイヤレススピーカユニット１２ｅに伝送される。
【００８５】
ＲＲ用ワイヤレススピーカユニット１２ｅでは、Ｒｃｈ受信部３４がＲｃｈ信号受信チャンネル切換部３５によって指定される無線周波数チャンネルに含まれるＲｃｈ信号を受信して、ＲｃｈＦＭ信号を取得する。取得されるＲｃｈＦＭ信号は、スピーカＦＭ検波部３７に伝送される。スピーカＦＭ検波部３７では、前記ＲｃｈＦＭ信号をＲｃｈステレオマルチプレックス信号およびＲｃｈパイロット信号に復調する。この復調されるＲｃｈＭＵＸ信号およびＲｃｈパイロット信号は、スピーカＭＵＸ復調部３８に伝送される。またスピーカＦＭ検波部３７は、ＲｃｈＦＭ信号をＲｃｈＭＵＸ信号に復調するとともに、前記ＲｃｈＦＭ信号に基づいてＳＤ出力信号を出力し、前記ＳＤ信号をスピーカミュート部３９に伝送する。スピーカＭＵＸ復調部３８では、伝送されるＲｃｈＭＵＸ信号をＲｃｈパイロット信号に基づいて、ＲＲ信号とＲＲ側正弦信号とに分割する。前記ＲＲ信号は、スピーカミュート部３９に伝送され、前記ＲＲ側正弦信号は、Ｒｃｈ側タイミング調整部４２に伝送される。スピーカＦＭ検波部３７は、あらかじめ設定された電界強度と受信された信号の電界強度を比較し、ＳＤ信号としてデジタル信号を出力する。スピーカミュート部３９ではＳＤ信号を利用して、受信信号の電界強度が規定レベル以下の場合、ＲＲ信号をミュートし、スピーカ素子４１に伝送しないように構成される。つまりＲｃｈＦＭ信号の電界強度を規定レベル以上になるように設定すると、Ｒｃｈ信号に含まれるＲＲ信号を再生する。またノイズなどの電界強度が規定レベル未満の信号だけを受信する場合、これらの信号がスピーカ増幅部４０に伝送されることを抑制できる。したがってこのようなスピーカミュート部３０を設けることによって、前記ノイズなどの信号によって発生するホワイトノイズが再生されることを抑制できる。したがって耳障りなホワイトノイズの再生が抑制されるので、視聴者に不快感を与えることがない。スピーカ増幅部４０に伝送されるＲＲ信号は、スピーカ増幅部４０で増幅され、スピーカ素子４１に伝送される。スピーカ素子４１は、前記ＲＲ信号に基づいて振動し、前記ＲＲ信号を再生する。
【００８６】
次にＲＬ用ワイヤレススピーカユニット１２ｆがＲＬ信号の再生するメカニズムについて説明する。伝送されるＲＬ信号は、ＲＬスピーカ調整部１５ｆで音量および音質が調整され、Ｌｃｈ側ＭＵＸ変調部１７ｂへ伝送される。Ｌｃｈ側ＭＵＸ変調部１７ｂでは、ＲＬ信号と正弦波発振部１８によって生成されるＲＬ側正弦信号とが時分割方式で多重化され、ＬｃｈＭＵＸ信号に変調される。さらにＬｃｈ側ＭＵＸ変調部１７ｂでは、Ｌｃｈステレオマルチプレックス信号が生成されるとともに、ＬｃｈＭＵＸ信号を復調する際に用いられるＬｃｈパイロット信号が生成される。Ｌｃｈ側ＭＵＸ変調部１７ｂで生成されるＬｃｈステレオマルチプレックス信号およびＬｃｈパイロット信号は、Ｌｃｈ側ＦＭ変調部２０ｂに伝送される。Ｌｃｈ側ＦＭ変調部２０ｂでは、Ｌｃｈステレオマルチプレックス信号およびＬｃｈパイロット信号を周波数変調し、ＬｃｈＦＭ信号を生成する。ＬｃｈＦＭ信号は、Ｌｃｈ信号送信部２１ｂに伝送される。Ｌｃｈ信号送信チャンネル切換部２３ｂは、Ｌｃｈ信号送信部２１ｂに伝送に使用する無線周波数チャンネルを設定する。変換されたＬｃｈＦＭ信号は、Ｌｃｈ信号送信部２１ｂによってＬｃｈ信号として、ＲＬ用ワイヤレススピーカユニット１２ｆに伝送される。
【００８７】
ＲＬ用ワイヤレススピーカユニット１２ｆでは、Ｌｃｈ信号受信部５３がＬｃｈ信号受信チャンネル切換部５４よって指定される無線周波数チャンネルに含まれるＬｃｈ信号を受信して、ＬｃｈＦＭ信号を取得する。取得されるＬｃｈＦＭ信号は、スピーカＦＭ検波部３７に伝送される。スピーカＦＭ検波部３７では、前記ＬｃｈＦＭ信号をＬｃｈステレオマルチプレックス信号に復調する。この復調されるＬｃｈステレオマルチプレックス信号は、スピーカＭＵＸ復調部３８に伝送される。またスピーカＦＭ検波部３７は、ＬｃｈＦＭ信号をＬｃｈステレオマルチプレックス信号に復調するとともに、前記ＬｃｈＦＭ信号に基づいてＳＤ出力信号を出力し、前記ＳＤ信号をスピーカミュート部３９に伝送する。スピーカＭＵＸ復調部３８では、伝送されるＬｃｈＭＵＸ信号をＬｃｈパイロット信号に基づいて、ＲＬ信号とＲＬ側正弦信号とに分割する。前記ＲＬ信号は、スピーカミュート部３９に伝送され、前記ＲＬ側正弦信号は、Ｌｃｈ側タイミング調整部５５に伝送される。
【００８８】
スピーカＦＭ検波部３７はあらかじめ設定された電界強度と受信された信号の電界強度を比較しＳＤ信号としてデジタル信号を出力する。スピーカミュート部３９ではＳＤ信号を利用して、受信信号の電界強度が規定レベル以下の場合、ＲＲ信号をミュートし後段に伝送しないように構成される。
【００８９】
これによってＬｃｈ信号の電界強度を規定レベル以上になるように設定することによって、ノイズなどの電界強度が規定レベル未満の信号をスピーカ増幅部４０に伝送することを抑制できる。またこのようなスピーカミュート部３０を設けることによってホワイトノイズの発生を抑制することができる。スピーカ増幅部４０に伝送されるＲＬ信号は、スピーカ増幅部４０で増幅され、スピーカ素子４１に伝送される。スピーカ素子４１は、前記ＲＬ信号に基づいて振動し、前記ＲＬ信号を再生する。
【００９０】
５．１ｃｈサラウンドモードでは、このようにしてスピーカユニット３３を用いて５．１ｃｈマルチチャンネルオーディオ信号を再生することができる。キー操作入力部２９を操作することによって、制御部３０は、５．１ｃｈサラウンドモードおよび３ステレオモードのいずれかを選択し、各モードに対応させて５．１ｃｈマルチチャンネルオーディオ信号を再生させることができる。
【００９１】
次に制御部３０が電池４３に残存する容量に基づいて５．１ｃｈサラウンドモードと３ステレオモードを選択するメカニズムについて説明する。ＲＲ用ワイヤレススピーカユニット１２ｅでは、ＲＲ側タイミング調整部４２が前述のように伝送されるＲＲ側正弦信号に基づいて、ＲＲ側タイミング信号を生成する。このＲＲ側タイミング信号は、ＲＲ側残量信号送信部４６に伝送される。スピーカ電池残量計測部４４では、電池４３の残量を計測する。スピーカ電池残量計測部４４は、電池４３の残量が無いと判定すると、無残量信号をスピーカＦＭ変調部４５に伝送する。またスピーカ残量計測部４４は、電池４３の残量が有ると判定すると、有残量信号をスピーカＦＭ変調部４５に伝送する。たとえば無残量信号とはＬｏｗ電圧、有残量信号とはＨｉｇｈ電圧でありデジタル信号として表現される。換言すると、スピーカ残量計測部４４は、デジタル化された残量信号をスピーカ電池残量ＦＭ変調部４５に伝送する。スピーカ電池残量ＦＭ変調部４５は、前記残量信号を周波数変調し、ＲＲ側残量信号送信部４６に伝送する。ＲＲ側残量信号チャンネル切換部４７は、ＲＲ側電池残量信号送信部に対し、送信する無線周波数チャンネルを指定する。ＲＲ側残量信号送信部４６は、前記周波数変換される残量信号を、無線残量信号として音響システム本体１１に無線で伝送する。結果電池残量信号はいわゆるＦＳＫ（Frequency Shift Keying）形式のデジタル変調信号として送信される。このときＲＲ側残量信号送信部４６は、Ｒｃｈタイミング調整部４２から伝送されるＲＲ側タイミング信号を取得し、ＲＲ側送信区間ＴＡの間だけ残量信号を無線残量信号として音響システム本体１１に無線で伝送する。
【００９２】
このように音響システム１０では、ＲＲ側送信区間ＴＡの間だけＲＲ用ワイヤレススピーカユニット１２ｅから音響システム本体１１へ無線残量信号が伝送される。音響システム１０では、ＲＬ側送信区間ＴＢの間だけＲＲ用ワイヤレススピーカユニット１２ｅから音響システム本体１１へ無線残量信号が伝送される。ＲＲ側送信区間ＴＡおよびＲＬ側送信区間ＴＢは、前述のようにＲＲ側送信区間ＲＲ側タイミング調整部４２およびＲＬ側タイミング調整部５５によって、重複しないように調整される。したがって無線残量信号では、ＲＲ用ワイヤレススピーカユニット１２ｅから伝送される残量信号、すなわちＲＲ側残量信号と、ＲＬ用ワイヤレススピーカユニット１２ｆから伝送される残量信号、すなわちＲＬ側残量信号とが時分割方式で多重化されて含まれる。このように無線残量信号には、多重化されてＲＲ側残量信号およびＲＬ側残量信号が含まれる。このような無線残量信号が各ＲＲ用ワイヤレススピーカユニット１２ｅ，ＲＬ用ワイヤレススピーカユニット１２ｆから音響システム本体１１へ伝送される。
【００９３】
音響システム本体１１は、無線残量信号を本体受信用アンテナ部２４によって受信し、残量信号受信チャンネル切換部２６によって指定される周波数帯域の残量信号受信部２５によって残量信号を取得する。残量信号受信部２５は、取得される残量信号を本体ＦＭ検波部２７に伝送する。本体ＦＭ検波部２７は、前記残量信号を周波数復調し、制御部３０に伝送される。制御部３０では、取得する残量信号に基づいて、ＲＲ用ワイヤレススピーカユニット１２ｅおよびＲＬ用ワイヤレススピーカユニット１２ｆの残存する電池４３の容量の有無を判定する。残量の有無の判定は、たとえば残量信号に無残量信号が含まれているか否かによって行われる。具体的には、制御部３０は、残量信号に無残量信号が含まれないと判定すると、残存する電池４３の容量が有ると判定し、ＲＲおよびＲＬ用ワイヤレススピーカユニット１２ｆ，１２ｆが作動可能であると判定する。このとき制御部３０は、デコーダ１４と協働して５．１ｃｈサラウンドモードを選択し、取得される５．１ｃｈマルチチャンネルオーディオ信号を６つのスピーカユニット３３を用いて再生する。またこのとき制御部３０は、表示部２８を用いて残存する電池４３の容量が有ることを表示する。また制御部３０は、残量信号に無残量信号が含まれると判定すると、、残存する電池４３の容量が無いと判定し、ＲＲおよびＲＬ用ワイヤレススピーカユニット１２ｆ，１２ｆのうち少なくとも一方が作動不可能であると判定する。このとき制御部３０は、デコーダ１４と協働して３ステレオモードを選択し、取得される５．１ｃｈマルチチャンネルオーディオ信号をＦＲ、ＦＬおよびＣスピーカユニット１２ａ，１２ｂ，１２ｃによって擬似的に再生する。またこのとき制御部３０は、表示部２８を用いて残存する電池４３の容量が無いことを表示する。表示部２８を用いて電池４３の残量の有無の表示は、たとえばディスプレイに文字または図形を表示することによって実現することができる。また発光ダイオードなどを用いて光で電池４３の残量の有無を告知してもよい。さらに音によって告知してもよく、その告知方法については、限定されない。さらに制御部３０は、選択するモードを表示部２８に表示する。表示部２８を用いて選択するモードの表示は、たとえばディスプレイに文字または図形を表示することによって実現することができる。また選択されるモードを電池４３の残量の有無と同様、発光ダイオードを用いて光で告知してもよい。
【００９４】
このようにして制御部３０は、残量信号を取得してＲＲ用ワイヤレススピーカユニット１２ｅおよびＲＬ用ワイヤレススピーカユニット１２ｆに設けられる電池４３のうち少なくとも一方の残存する容量の有無を判定する。制御部３０は、この残存する容量の有無の判定に基づいて、デコーダ１４と協働して５．１ｃｈサラウンドモードおよび３ステレオモードをいずれか一方を選択する。さらに制御部３０は、いずれか一方を選択すると、表示部２８を用いて選択される前記モードを表示する。たとえば、文字を表示部２８に表示することによって実現される。このようにＲＲおよびＲＬ用ワイヤレススピーカユニット１２ｅ，１２ｆに設けられる電池４３うちの少なくとも一方の残存する容量がなくなると、作動可能なスピーカユニット３３であるＦＲ、ＦＬおよびＣスピーカユニット１２ａ，１２ｂ，１２ｃを用いて５．１ｃｈマルチチャンネルオーディオ信号を再生することができる。したがって複数の再生すべきオーディオ信号のうちの一部を欠落して再生されることを抑制することができる。このように制御部３０は、自動的に５．１ｃｈサラウンドモードおよび３ステレオモードのいずれか一方を選択することができるので、視聴者がキー操作入力部２９を操作していずれか一方のモードを選択する必要が無くなる。また制御部３０は、表示部２８によって残存する電池４３の容量の有無の情報を表示するので、視聴者は、表示部２８に表示される残存する容量の有無の情報を見るだけで容易に電池４３の残量を判断することができる。また残量信号は、無線残量信号としてＲＲ用ワイヤレススピーカユニット１２ｅおよびＲＬ用ワイヤレススピーカユニット１２ｆから音響システム本体１１に無線で伝送されるので、音響システム本体１１に設けられる配線を少なくすることができる。制御部３０は、残量信号に基づいてＲＲ用ワイヤレススピーカユニット１２ｅおよびＲＬ用ワイヤレススピーカユニット１２ｆのうちのいずれかが作動不可能と判定すると、デコーダ１４から前記各ワイヤレススピーカユニット３３ｂへオーディオ信号の伝送を停止する。したがって音響システム本体１１は、オーディオ信号を無線で伝送するときに消費される消費電力を小さくすることとができる。したがって音響システム１０の低消費電力化を実現することができる。音響システム本体１１では、視聴者がキー操作入力部２９を操作することによって送信するＲｃｈ信号およびＬｃｈ信号の周波数帯域を指定することができる。またＲＲ用ワイヤレススピーカユニット１２ｅおよびＲＬ用ワイヤレススピーカユニット１２ｆでは、視聴者が受信チャンネル切換３５，５４を操作することによってＲＲ用ワイヤレススピーカユニット１２ｅおよびＲＬ用ワイヤレススピーカユニット１２ｆが受信可能周波数を指定することができる。これによって他の無線機器と干渉する場合、視聴者は、送信するＲｃｈ信号およびＬｃｈ信号の周波数帯域およびＲＲ用ワイヤレススピーカユニット１２ｅおよびＲＬ用ワイヤレススピーカユニット１２ｆの受信可能な周波数帯域を変更することによって、他の無線機器との干渉を抑制することができる。つまり視聴者は，音響システム１０と他の無線機器とが干渉することを抑制することができる。
【００９５】
図６は、ＲＲ用ワイヤレススピーカユニット１２ｅおよびＲＬ用ワイヤレススピーカユニット１２ｆが残量信号を送信するにあたっての手順を示すフローチャ―である。ＲＲ用ワイヤレススピーカユニット１２ｅが残量信号を送信する手順とＲＬ用ワイヤレススピーカユニット１２ｆが残量信号を送信する手順とは、類似している。したがってＲＲ用ワイヤレススピーカユニット１２ｅの送信の手順を説明し、ＲＬ用ワイヤレススピーカユニット１２ｆについては、異なる点だけを説明する。ＲＲ用ワイヤレススピーカユニット１２ｅの電源を入れると、手順が開始されステップａ０からステップａ１へ進む。
【００９６】
電池残量検出工程であるステップａ１では、残量計測部４４が残存する電池４３の容量を計測する。残量計測部４４が電池に残存する容量を計測するとステップａ１からステップａ２へ進む。残量規定値判定工程であるステップａ２では、残量計測部４４がステップａ１で計測される残存する電池４３の容量が、予め定められる残量規定値以上であるかを判定する。残量計測部４４は、前記残量が残量規定値以上であると判定すると、ステップａ２からステップａ３へ進む。有残量信号伝送工程であるステップａ３では、残量計測部４４が有残量信号を生成する。残量計測部４４は、生成された有残量信号を残量信号としてスピーカＦＭ変調部４５に伝送する。前記残量信号がスピーカＦＭ変調部４５に伝送されると、ステップａ３からステップａ４へ進む。
【００９７】
ＦＭ変調工程であるステップａ４では、ＦＭ変調部４５が伝送される残量信号を周波数変調する。ＦＭ変調部４５は、周波数変調される残量信号をＲＲ側残量信号送信部４６に伝送される。残量信号がＲＲ側残量信号送信部４６に伝送されると、ステップａ４からステップａ５へ進む。タイミング信号検出判定工程であるステップａ５では、ＲＲ側残量信号送信部４６がＲＲ側Ｈｉｇｈ信号を取得したか否かを判定する。ＲＲ側残量信号送信部４６がＲＲ側Ｈｉｇｈ信号を取得したと判定すると、ステップａ５からステップａ６へ進む。残量信号送信工程であるステップａ６では、ＲＲ側残量信号送信部４６が伝送される残量信号を無線残量信号としてＲＲ用ワイヤレススピーカユニット１２ｅから音響システム本体１１へ無線で伝送する。ＲＲ側残量信号送信部４６が無線残量信号を伝送すると、ステップａ６からステップａ７へ進み手順が終了する。
【００９８】
ステップａ２において、残量計測部４４は、前記残量が規定値未満であると判定すると、ステップａ２からステップａ８へ進む。無残量信号伝送工程であるステップａ８では、残量計測部４４が無残量信号を生成する。残量計測部４４は、生成された無残量信号を残量信号としてスピーカＦＭ変調部４５に伝送する。前記残量信号がスピーカＦＭ変調部４５に伝送されると、ステップａ８からステップａ４へ進む。またステップａ５において、ＲＲ側残量信号送信部４６がＲＲ側Ｈｉｇｈ信号を取得していないと判定すると、ステップａ５からステップａ５へ戻る。
【００９９】
ＲＬ用ワイヤレススピーカユニット１２ｆでは、ステップａ４において残量信号をＦＭ変調部４５からＲＬ側残量信号送信部５６へ伝送する。またＲＬ用ワイヤレススピーカユニット１２ｆでは、ステップａ５においてＲＬ側残量信号送信部５６がＲＬ側Ｈｉｇｈ信号を取得したか否かを判定する。ＲＬ側残量信号送信部５６がＲＬ側Ｈｉｇｈ信号を取得したと判定すると、ステップａ５からステップａ６へ進むみ、ＲＬ側残量信号送信部５６がＲＬ側Ｈｉｇｈ信号を取得していないと判定すると、ステップａ５からステップａ５へ戻る。このようにして電池４３の残量を計測し、各ＲＲ用ワイヤレススピーカユニット１２ｅ，ＲＬ用ワイヤレススピーカユニット１２ｆから音響システム本体１１へ無線残量信号で前記残量を伝送することができる。これによって音響システム本体１１と各ＲＲ用ワイヤレススピーカユニット１２ｅ，ＲＬ用ワイヤレススピーカユニット１２ｆとが電気的に接続されていなくても、音響システム本体１１は、電池４３の残量の有無に関する情報を取得することができる。
【０１００】
図７は、制御部３０が５．１ｃｈサラウンドモードおよび３ステレオモードを選択する手順について示すフローチャートである。音響システム本体１１の電源を入れると，手順が開始されスステップｂ０テップｂ１へ進む。
【０１０１】
残量信号受信判定工程であるステップｂ１では、制御部３０が残量信号受信部２５で残量信号を受信したか否かを判定する。制御部３０は、残量信号が制御部に伝送されると、残量信号を受信したと判定する。制御部３０が残量信号を受信したと判定すると、ステップｂ１からステップｂ２へ進む。残量判定工程であるステップｂ２では、制御部３０が伝送される残量信号に基づいてＲＲ用ワイヤレススピーカユニット１２ｅ，ＲＬ用ワイヤレススピーカユニット１２ｆに設けられる各電池４３の残存する容量の有無を判定する。制御部３０が前記各電池４３の残存する容量が無いと判定すると、ステップａ２からステップａ３へ進む。電池残量警告表示工程であるステップｂ３では、制御部３０が表示部２８に残存する電池４３の容量が無いことを表示する。制御部３０が表示部２８によって残存する電池４３の容量が無いことを表示すると、ステップｂ３からステップｂ４へすすむ。３ステレオモード選択工程であるステップｂ４では、制御部３０がデコーダ１４と協働して３ステレオモードを選択する。制御部３０が３ステレオモードを選択すると、ステップｂ４からステップｂ５へ進む。モード表示選択工程であるステップｂ５では、制御部３０が３ステレオモードを選択したことを表示部２８に表示する。制御部３０が３ステレオモードを選択したことを表示部２８に表示すると、ステップｂ５からステップｂ６に進み手順が終了する。
【０１０２】
ステップｂ１において、制御部３０は、残量信号が制御部３０に伝送されない場合、残量信号を受信していないと判定する。ここで制御部３０が残量信号を受信しないと判定するのは、残量信号が有残量信号を含むか否かによって判定する。したがって残量信号に無残量信号を含む場合であっても、残量信号を受信していないと判定する場合がある。制御部３０が残量信号受信部２５で残量信号を受信していないと判定すると、ステップｂ１からステップｂ７へ進む。残量信号受信不可表示工程であるステップｂ７では、残量信号受信部２５で有残量信号を含む残量信号を受信していないことを、制御部３０が表示部２８に表示する。残量信号を受信できないことを制御部３０が表示部２８に表示すると、ステップｂ７からステップｂ４へ進む。またステップｂ２において、制御部３０が前記各残存する電池４３の容量が有ると判定すると、ステップｂ２からステップｂ８へ進む。後方スピーカ作動可能表示工程であるステップｂ８では、制御部３０がＲＲ用ワイヤレススピーカユニット１２ｅおよびＲＬ用ワイヤレススピーカユニット１２ｆに設けられる電池４３に残量があることを表示する。換言すると、制御部３０は、ＲＲ用ワイヤレススピーカユニット１２ｅ，ＲＬ用ワイヤレススピーカユニット１２ｆが作動可能であることを、表示部２８を介して表示する。制御部３０が作動可能であることを表示すると、ステップｂ８からステップｂ９へ進む。５．１ｃｈサラウンドモード選択工程であるステップｂ９では、制御部３０がデコーダ１４と協働して５．１ｃｈサラウンドモードを選択する。また制御部３０は、５．１ｃｈサラウンドモードを選択すると、前記モードを選択したことを  表示部２８を介して表示する。制御部３０が５．１ｃｈサラウンドモードを選択したことを表示すると、ステップｂ９からステップｂ１へ進む。
【０１０３】
このように制御装置３０は、残量信号を受信しているか否かを判定し、その判定を表示するので、ＲＲ用ワイヤレススピーカユニット１２ｅおよびＲＬ用ワイヤレススピーカユニット１２ｆが作動しているか否かを告知することができる。これによって視聴者にＲＲ用ワイヤレススピーカユニット１２ｅおよびＲＬ用ワイヤレススピーカユニット１２ｆに設けられる電池４３を残存する容量が有るものに入れ替えるべきことを告知することができる。また制御部３０が残量信号に基づいて電池４３の残量の有無を表示部２８に表示するので、視聴者は、容易に電池４３の残量の有無を確認することができる。また制御部３０が電池４３の残量に基づいてモードを選択することができるので、電池４３の残量に関係なく音響システム１０で５．１ｃｈマルチチャンネルオーディオ信号を再生することができる。さらに制御部３０が選択されるモードを表示部２８に表示するので、視聴者は、容易に選択されるモードを確認することができる。また５．１ｃｈサラウンドモードおよび３ステレオモードのいずれか一方から他方へ選択が切換えられる場合、制御部３０は、選択されるモードを表示部２８に表示し、モードが切換わったことを表示することができる。
【０１０４】
図８は、本発明の実施の他の形態である音響システム１０Ａの電気的構成を示すブロック図である。図９は、音響システム１０Ａに含まれるＲＲ用ワイヤレススピーカユニット１２Ａｅ，ＲＬ用ワイヤレススピーカユニット４１Ａｂの電気的構成を示すブロック図である。音響システム１０Ａは、図１から図３に示される前述の実施の形態の音響システム１０と類似しており、異なる点だけ説明し、同様の構成は同一の符号を付して説明を省略する。音響システム１０Ａには、音響システム１１と６つのスピーカユニット１２ａとが含まれる。スピーカユニット１２Ａには、パッシブ型スピーカユニット３３ａおよびワイヤレススピーカユニット３３Ａｂとが含まれる。ワイヤレススピーカユニット３３Ａｂには、ＲＲ用ワイヤレススピーカユニット１２ＡｅとＲＬ用ワイヤレススピーカユニット１２Ａｆとが含まれる。
【０１０５】
ＲＲ用ワイヤレススピーカユニット１２Ａｅには、前述の実施の形態のＲＲ用ワイヤレススピーカユニット１２ｅの構成にさらにスピーカ電力取得部６３およびスピーカ電源結合部６４が含まれる。スピーカ電力取得部６３は、商用電源３２から交流電力を取得し、前記交流電力を直流電力に変換可能に構成される。スピーカ電力取得部６３は、たとえば交流（Alternating Current：略称ＡＣ）アダプタによって実現される。ただしスピーカ電力取得部６３は、このような構成に限定されず、電力を取得可能な構成であればよい。スピーカ電源結合部６４は、スピーカ電力取得部６３を着脱可能に構成される。スピーカ電源結合部６４は、スピーカ電力取得部６３で取得され変換された直流電流をスピーカ残量計測部４４に送電可能に構成される。またスピーカ電源結合部６４は、スピーカ残量計測部４４を介して各構成部に送電可能に構成される。スピーカ電源結合部６４は、前記ＡＣアダプタに含まれるＤＣジャックと結合可能なジャック孔によって実現される。またスピーカ残量計測部４４は、スピーカ電源結合部６４から送電されると、有残量信号をスピーカＦＭ変調部４５に伝送するように構成される。
【０１０６】
ＲＬ用ワイヤレススピーカユニット１２Ａｅには、前述の実施の形態のＲＬ用ワイヤレススピーカユニット１２Ａｆの構成にさらにスピーカ電力取得部６３およびスピーカ電源結合部６４が含まれる。スピーカ電力取得部６３スピーカ電源結合部６４およびスピーカ残量計測部４４は、ＲＲ用ワイヤレススピーカユニット１２Ａａに含まれる構成と同様であるので、説明を省略する。
【０１０７】
このような構成を有する音響システム１０Ａは、商用電源３２にスピーカ電力取得部６４を電気的に接続することによって、商用電源３２から各構成部に電力を供給することができる。これによって電池４３の残量が無い場合であっても、ＲＲ用ワイヤレススピーカユニット１２ＡｅおよびＲＬ用ワイヤレススピーカユニット１２Ａｂを作動させることができる。またスピーカ電源結合部６４がスピーカ電力取得部６３を着脱可能に構成されているので、必要に応じてスピーカ電力取得部６４をスピーカ結合部６４に装着できる。したがって電池４３の残量がある場合、スピーカ電力取得部６３をスピーカ結合部６４に離脱させることによって配線が煩雑になることを抑制することができる。またスピーカ電力取得部６３からスピーカ残量計測部４４に送電されると、スピーカ残量計測部４４が有残量信号を残量信号としてスピーカＦＭ変調部４５に伝送する。これによってＲＲ用ワイヤレススピーカユニット１２ＡｅおよびＲＬ用ワイヤレススピーカユニット１２Ａｆから音響システム本体１１に、有残量信号を含む無線残量信号が伝送される。これによって制御部３０は、ＲＲ用ワイヤレススピーカユニット１２ＡｅおよびＲＬ用ワイヤレススピーカユニット１２Ａｆが作動可能であると判定し、５．１ｃｈサラウンドモードを選択する。これによって商用電源３２から電力を取得する場合、視聴者が操作することなく５．１ｃｈサラウンドモードを選択することができる。またスピーカ結合部６４は、電池４３に二次電池を使用し、電池４３を充電可能に構成してもよい。これによって前記５．１ｃｈサラウンドモードによってオーディオ信号を再生するとともに電池４３の充電をすることができる。この場合、制御部３０が電池４３の残量が無いと判定すると、表示部２８を介して視聴者に電池４３の充電を促すように構成してもよい。
【０１０８】
また本実施の形態では、ＲＲ用ワイヤレススピーカユニット１２ｅには、Ｒｃｈ信号受信チャンネル切換部３５を設けて無線周波数チャンネルを設定しているけれども、ＣＰＵを設けることによって前記設定を実現してよい。また同様にＲＲ側タイミング調整部４２およびＲＬ側タイミング調整部５５をＣＰＵを設けることによって実現してもよい。ＲＬ用ワイヤレススピーカユニット１２ｆも同様な構成としてもよい。
【０１０９】
また本実施の形態では、ＲＲ用ワイヤレススピーカユニット１２ｅおよびＲＬ用ワイヤレススピーカユニット１２ｆから伝送する残量信号の無線周波数チャンネルを略同一の無線周波数チャンネルに設定しているけれども、ＲＲ用ワイヤレススピーカユニット１２ｅおよびＲＬ用ワイヤレススピーカユニット１２ｆを異なる無線周波数チャンネルにしてもよい。このとき残量信号受信部２５を残量信号チャンネル切換部２６によって受信可能な無線周波数チャンネルを切換可能に構成する。これによって残量信号チャンネル切換部２６によって切換えることによってＲＲ用ワイヤレススピーカユニット１２ｅおよびＲＬ用ワイヤレススピーカユニット１２ｆのそれぞれから伝送される残量信号を分けて受信することができる。したがってＲＲ用ワイヤレススピーカユニット１２ｅおよびＲＬ用ワイヤレススピーカユニット１２ｆのそれぞれに設けられる電池４３の残量の有無を個別に判定することができる。これによって音響システム本体１１は、ＲＲ用ワイヤレススピーカユニット１２ｅおよびＲＬ用ワイヤレススピーカユニット１２ｆに対して個別に信号の伝送の停止をすることができる。また表示部２８を介して表示されるＲＲ用ワイヤレススピーカユニット１２ｅおよびＲＬ用ワイヤレススピーカユニット１２ｆの各電池４３の残量の有無を、残量信号チャンネル切換部２６を切換えることによって、切換えることができる。このように各ワイヤレススピーカ４１の電池４３の残量の有無を残量信号チャンネル切換部２６を切換えることによって、個別に表示することができる。したがって視聴者は、どのワイヤレススピーカ４１の電池４３の残量がなくなったかを容易に判断することができる。
【０１１０】
また複数のスピーカユニット３３、たとえば７．１ｃｈサラウンドシステムのように後方の４つのワイヤレススピーカユニット３３ｂにＦＭ無線電波信号で信号を伝送する際に、制御部３０は、４つのワイヤレススピーカユニット３３ｂの各電池４３の残量の有無を判定することができる。したがって７．１ｃｈサラウンドモードから５．１ｃｈサラウンドモードを選択可能に構成することによって、作動可能なスピーカユニット３３を用いて５．１ｃｈのオーディオ信号を再生可能な音響システム１０を構成することができる。
【０１１１】
また本実施の形態では、Ｒｃｈ信号、Ｌｃｈ信号および無線残量信号は、ＦＭ無線電波信号で伝送されているけれども、赤外線通信の信号伝送方式を用いて実現してもよい。またＦＭ変調方式を用いているけれども、デジタル変調方式を用いてもよい。またＲｃｈ信号、Ｌｃｈ信号および無線残量信号の信号を時分割送受信して１つの無線信号を用いて伝送してもよい。この場合、デジタル方式を採用することによって実現することができる。また本実施の形態では、ＲＲ用ワイヤレススピーカユニット１２ｅおよびＲＬ用ワイヤレススピーカユニット１２ｆが無線によって信号が伝送されているけれども、他のスピーカユニット３３も無線で信号を伝送可能に構成することによって、音響システム１０の配線を少なくすることができる。このような場合についても、前述のような構成を用いることができる。
【０１１２】
本実施の形態に係る音響システム１０によれば、スピーカ残量計測部４４によってＲＲ用ワイヤレススピーカユニット１２ｅおよびＲＬ用ワイヤレススピーカユニット１２ｆの電源である残存する電池４３の容量を計測する。制御部３０は、前記容量に基づいて作動不可能なスピーカユニット３３が含まれるか否かを判定し、たとえば５．１ｃｈサラウンドモードおよび３ステレオモードのいずれか一方を自動的に選択する。換言すると、制御部３０は、前記容量に基づいて、再生すべきチャンネルのオーディオ信号に対応するスピーカユニット３３を作動させて、前記オーディオ信号を再生することができると判定すると、５．１ｃｈサラウンドモードを選択する。また選択手段は、前記容量に基づいて、作動不可能なスピーカユニット３３に対応するチャンネルのオーディオ信号を、作動可能なスピーカユニット３３を用いて抽出しかつ再生することができると判定すると、３ステレオモードを選択する。
【０１１３】
このように制御部３０は、前記容量に基づいて再生すべきチャンネルのオーディオ信号に対応するスピーカユニット３３の作動可能性を判定し、５．１ｃｈサラウンドモードおよび３ステレオモードのいずれか一方を選択する。これによって制御部３０は、作動不可能なスピーカユニット３３がある場合、３ステレオモードを選択する。したがって音響システムは、前記スピーカユニット３３に対応するオーディオ信号を作動可能なスピーカユニット３３によって擬似的に再生することができる。したがって再生すべきチャンネルのオーディオ信号が再生されず欠落することを抑制することができ、再生されるべきオーディオ信号の少なくとも一部が再生できない不具合を解消することができる。
【０１１４】
仮に、再生すべきチャンネルのオーディオ信号に対応するスピーカユニット３３において、その残存する電池４３の容量が、前記スピーカユニット３３を作動不可能な容量であると判定されると、制御部３０は、３ステレオモードを選択する。それ故、作動不可能なスピーカユニット３３が含まれていても、前記スピーカユニット３３に対応するチャンネルうち作動不可能と判断されるチャンネルのオーディオ信号を、作動可能なスピーカユニット３３を用いて擬似的に再生することができる。したがって再生すべき複数のチャンネルのオーディオ信号のうちの一部が欠落する状態で、前記オーディオ信号が再生されることを抑制することができる。これによってスピーカユニット３３が作動不可能になることによって再生されるべきオーディオ信号の一部が欠落する不具合を解消することができる。
【０１１５】
仮に全てのスピーカユニット３３において、その残存する電池４３の容量が、前記スピーカユニット３３を作動可能な容量であると判定されると、制御部３０は、５．１ｃｈサラウンドモードを選択する。これによって視聴者は、残存する電池の容量がスピーカユニット３３を作動可能な容量であるかを確認することなく、自動的に５．１ｃｈサラウンドモードを選択することができる。したがって視聴者は、スピーカユニット３３の電池に残存する容量を計測する必要がないうえ、前記容量に基づいて５．１ｃｈサラウンドモードを選択する必要も無い。
【０１１６】
このように音響システム１０によれば、スピーカ残量計測部４４によって電池４３の容量を計測して、再生すべきチャンネルのオーディオ信号に対応するスピーカユニット３３の作動可能性を判定し得る。さらに作動可能なスピーカユニット３３だけを用いて再生すべきチャンネルのオーディオ信号を抽出しかつ再生することができる。したがって制御部３０は、残存する電池４３の容量に適する音響システム駆動手段を選択し、前記音響システム駆動手段によって再生すべきチャンネルのオーディオ信号を欠落することなく再生することができる。
【０１１７】
本実施の形態に係る音響システム１０Ａによれば、商用電源３２から電池４３を電源とするＲＲ用ワイヤレススピーカユニット１２ＡｅおよびＲＬ用ワイヤレススピーカユニット１２Ａｆに電力を供給している状態においては、制御部３０は５．１ｃｈサラウンドモードを必然的に選択する。このようにスピーカユニット３３が商用電源３２からの電力供給を許容する条件で、制御部３０は、自動的に５．１ｃｈサラウンドモードを選択する。このように商用電源３２によってワイヤレススピーカユニット３３Ａｂに安定して電力を供給する状態では、残存する電池４３の容量に関係なくＲＲ用ワイヤレススピーカユニット１２ＡｅおよびＲＬ用ワイヤレススピーカユニット１２Ａｆを継続して作動させることができる。
【０１１８】
前述したようにＲＲ用ワイヤレススピーカユニット１２ＡｅおよびＲＬ用ワイヤレススピーカユニット１２Ａｆが商用電源３２からの電力供給を許容する条件で、制御部３０は５．１ｃｈサラウンドモードを必然的に選択する。逆に言えば、この５．１ｃｈサラウンドモードが必然的に選択された状態では、再生すべきチャンネルの複数のオーディオ信号に対応するスピーカユニット３３のうちの少なくとも一部が再生不可能な状態にはならない。つまり商用電源３２からＲＲ用ワイヤレススピーカユニット１２ＡｅおよびＲＬ用ワイヤレススピーカユニット１２Ａｆに電力が安定して供給され、再生すべきチャンネルのオーディオ信号に対応するスピーカユニット３３を、確実にかつ継続的に作動させることができる。したがって商用電源３２によってＲＲ用ワイヤレススピーカユニット１２ＡｅおよびＲＬ用ワイヤレススピーカユニット１２Ａｆへの電力供給を継続することによって、ＲＲ用ワイヤレススピーカユニット１２ＡｅおよびＲＬ用ワイヤレススピーカユニット１２Ａｆは、電池４３に残存する容量がなくなっても再生すべきチャンネルのオーディオ信号を再生することを継続することができる。これによって残存する電池４３の容量を気にすることなく５．１ｃｈサラウンドモードでオーディオ信号を再生することができる。
【０１１９】
本実施の形態に係る音響システム１０によれば、５．１ｃｈサラウンドモードおよび３ステレオモードのいずれか一方から他方へ切換えられたことを表示部２８によって表示することができる。これによって視聴者は、５．１ｃｈサラウンドモードおよび３ステレオモードのいずれのモードによって再生されているのかを容易に判断することができる。
【０１２０】
本実施の形態に係る音響システム１０によれば、信号送信部２１、Ｒｃｈ信号受信部３４およびＬｃｈ信号受信部５３によって無線でオーディオ信号をＲＲ用ワイヤレススピーカユニット１２ｅおよびＲＬ用ワイヤレススピーカユニット１２ｆへ伝送することができる。これによって音響システム１０に設けられる配線を少なくすることができる。また制御部３０は、３ステレオモードを選択すると、自動的に信号送信部２１の信号の送信を停止することができる。これによって信号送信部２１の電力消費を抑制することができる。これによって音響システム１０は、低消費電力化することができる。また信号送信部２１の送信を停止することによって、ＲＲ用ワイヤレススピーカユニット１２ｅおよびＲＬ用ワイヤレススピーカユニット１２ｆが信号を受信することを抑制できる。したがって作動不可能なスピーカユニット３３が受信すべきでない信号を受信し、ノイズを発生することを抑制することができる。これによって前記スピーカユニット３３がノイズを発生し、視聴者に不快感を与えることを抑制できる。
【図面の簡単な説明】
【０１２１】
【図１】本発明の実施の一形態である音響システム１０の電気的構成を示すブロック図である。
【図２】音響システム１０に含まれる音響システム本体１１の電気的構成を示すブロック図である。
【図３】音響システム１０に含まれる後方右用ワイヤレススピーカユニット１２ｅおよび後方左用ワイヤレススピーカユニット１２ｆの電気的構成を示すブロック図である。
【図４】音響システム１０に含まれる６つのスピーカユニット３３の配置を示す図である。
【図５】ＲＲ側およびＲＬ側タイミング信号５２，６２について示す図である。
【図６】ＲＲ用ワイヤレススピーカユニット１２ｅおよびＲＬ用ワイヤレススピーカユニット１２ｆが残量信号を送信するにあたっての手順を示すフローチャ―である。
【図７】制御部３０が５．１ｃｈサラウンドモードおよび３ステレオモードを選択する手順について示すフローチャートである。
【図８】本発明の実施の他の形態である音響システム１０Ａの電気的構成を示すブロック図である。
【図９】音響システム１０Ａに含まれるＲＲ用ワイヤレススピーカユニット１２ＡｅおよびＲＬ用ワイヤレススピーカユニット１２Ａｆの電気的構成を示すブロック図である。
【図１０】従来の技術の音響システム１の電気的構成を示すブロック図である。
【符号の説明】
【０１２２】
１０  音響システム
１１  音響システム本体
１２ａ  右前方スピーカユニット
１２ｂ  左前方スピーカユニット
１２ｃ  中央部スピーカユニット
１２ｄ  サブウーハスピーカユニット
１２ｅ，１２Ａｅ  後方右用ワイヤレススピーカユニット
１２ｆ，１２Ａｆ  後方左用ワイヤレススピーカユニット
１４  デコーダ
２１ａ  Ｒｃｈ信号送信部
２１ｂ  Ｌｃｈ信号送信部
２４  残量信号受信部
２８  表示部
３０  制御部
３３，３３Ａ  スピーカユニット
３３ａ  パッシブ型スピーカユニット
３３ｂ，３３Ａｂ  ワイヤレススピーカユニット
３４  Ｒｃｈ信号受信部
４３  電池
４４  電池残量計測部
４６  ＲＲ側残量信号送信部
５３  Ｌｃｈ信号受信部
５６  ＲＬ側電池残量信号送信部
６３  スピーカ電力取得部
６４  スピーカ電源結合部
【図１】
2005210504.tif 000004
【図２】
2005210504.tif 000005
【図３】
2005210504.tif 000006
【図４】
2005210504.tif 000007
【図５】
2005210504.tif 000008
【図６】
2005210504.tif 000009
【図７】
2005210504.tif 000010
【図８】
2005210504.tif 000011
【図９】
2005210504.tif 000012
【図１０】
2005210504.tif 000013